(57)【要約】光媒体に記録されたデータなどの記憶媒体へのアクセスの制御、および光記録媒体の複写防護並びに特に光ディスクに記録されたデータの保護に関し、光学記憶媒体からデータをコピーすることを防止する方法と装置を提供する。光学記憶媒体上のローカスは、初めに一つの信号を作るために読取られ、次に第２の信号を作るために読取装置によって再読される。再読時に検出された信号が最初のサンプリング時に検出された信号と異なる。記憶媒体（例えば光学上で読取り可能な媒体）へのアクセスを制御するための方法と装置である。状態を変えて記憶媒体の読取りに影響を及ぼすのに適応した感光性またはその他の材料を用いて光学的媒体に記憶されることができるデータへのアクセスの制御および／または媒体の使用の制御をする。
2004502266.tif 000002
【特許請求の範囲】
【請求項１】
一連のビットを表わす光学データ構造を有する光学記憶媒体を認証する方法であって、前記方法は（ａ）前記光学記憶媒体をある場所において、そのような場所における光学的データ構造によって表された前記一連の ビットに忠実なデータを得るように読取るステップ、（ｂ）得られたデータがそのような場所における光学的データ構造によって表された一連のビット内の一つ以上のビットによって変わるかどうかを決めるために、そのような場所で光学記憶媒体を再読するステップ、および（ｃ） ステップ（ｂ）で得られたデータがステップ（ａ）において得られるデータと異なれば光学記憶媒体を認証するステップ
からなる光学記憶媒体認証方法。
【請求項２】
データ構造を含む光学記憶媒体を認証する方法において、
ある場所におけるデータ構造から第１のセットの有効データを得るために前記場所で光学記憶媒体を読み込むステップ、および第２のセットの有効データを得るためにある場所における光学記憶媒体を再読読するステップを備え、第２のセットの有効データは、前記場所の光学記憶媒体のデータ構造に関係なく第１のセットの有効データと異なることを特徴とする光学記憶媒体認証方法。
【請求項３】
データを含第１の平面および感光性化合物を有する第２の平面
を有する光学記憶媒体を認証する方法であって、前記光学記憶媒体上の第１の平面からデータを読み込むステップ、光学記憶媒体上の第２の平面の感光性化合物を励起するステップ、および光学記憶媒体の第２の平面からデータを読み込むステップを備える光学記憶媒体認証方法。
【請求項４】
光学記憶媒体上の第１のセットの有効なデータを記録するステップ、感光性化合物が第１のセットの有効なデータと協同することができるように光学記憶媒体上の記憶位置で光学記憶媒体に感光性化合物を塗布するステップ、および感光性化合物の少なくとも一部分を選択的に活性化するステップを含み、活性化された状態で、感光性化合物によって、第１のセットのデータの読取りが可能になり、感光性化合物が励起に反応して第１のセットの有効なデータと異なる第２のセットの有効なデータを成生するようにした光学記憶媒体を処理する方法。
【請求項５】
データを表わす一連の光学的変形を含む光学データ記憶媒体に記憶されたデータの不法な複写を思いとどまらせる方法であって、前記光学的変形に関してマップされた選択位置で前記光学的変形の物理的構造を変えずに前記光学データ記憶媒体の表面または内部に一つ以上の物理的変化を導入するステップ、前記光学データ記憶媒体に記憶されたデータに前記マップされた位置で前記光学データ記憶媒体に前記物理的変化を認めるためおよび前記物理的変化が前記光学データ記憶媒体の表面または内部にある前記選択位置に現れるように決められるとき、前記光学データ記憶媒体に記憶された前記データの読取りを遂行するためのプログラム命令セットを組み入れるステップを含むことを特徴とする不法な複写を思いとどまらせる方法。
【請求項６】
光学的データ構造の光学的データ記憶媒体に記憶されるデータの不法な複写を思いとどまらせる方法であって、前記光学的データ記憶媒体の中または表面に、前記光学的データ構造によって表された第１のデータ状態と前記光学的データ構造に忠実でない第２のデータ状態の間で前記光学的データ構造のデータ読取りを変ることができる材料を導入するステップ、および前記光学的データ構造に忠実でない第２のデータ状態、前記光学的データ記憶媒体に記憶されたデータに前記第１のデータ状態および前記第２のデータ状態を検出するためおよび、前記光学的データ記憶媒体が前記光学的データ記憶媒体のデータ読取り時に、前記第１のデータ状態および前記第２のデータ状態を表示するとき前記光学的データ記憶媒体に記憶された前記データの読取りを成し遂げるためのプログラム命令セットを組み入れるステップを備える不法な複写を思いとどまらせる方法。
【請求項７】
一連のビットを表している光学的データ構造の光学データ記憶媒体に記憶されたデータの不法な複写を思いとどまらせる方法であって、（ａ）光学記憶媒体のある一つの場所を読取ってそのような場所における光学的データ構造によって表された一連のビットに忠実なデータを得るステップ、（ｂ）得られたデータがそのような場所における光学的データ耕造によって表された一連のビットの中の一つ以上によって変わるかどうかを決めるためにその場所において前記光学記憶媒体を再読するステップ、および（ｃ） ステップ（ｂ）で得られたデータがステップ（ａ）において得られたものと異なる場合は、光学記憶媒体の複写を思いとどまらせるステップを備える不法な複写を思いとどまらせる方法。
【請求項８】
一連のビットを表している光学的データ構造の全部または一部のデータを記憶するコンピュータ可読の媒体であって、前記コンピュータ可読光学データ記憶媒体は、コンピュータ・システムを前記コンピュータ可読媒体の読取りを可能にするように（ｂ） 前記光学的データ構造によって表された一連のビットに忠実な前記光学記憶媒体データを一つの場所で検出するステップ（ｅ）そのような場所における光学的データ構造によって表された一連のビットの一つ以上のビットによって変わっている前記光学記憶媒体データを前記場所で検出するステップ（ｆ） ステップ（ｂ）で得られたデータがステップ（ａ）においてのデータと異なるとき、前記光学記憶媒体の読取りを可能にするステップによって制御する命令を含んでいるコンピュータ可読光学データ記憶媒体。
【請求項９】
光学的データ構造の形で具体化されたコンピュータ可読プログラム・コードを備えるコンピュータによって有効な媒体を備え、前記光学的データ構造において具体化されない光学的非均一性の一つ以上のサイトをその中で含んでいる製作物、光学的非一様性の前記サイトは、コンピュータの正規の複写機能を妨げている前記コンピュータによって有効な媒体内にある光学的非均一性の前記サイトがあるときだけ前記コンピュータ可読プログラム・コードは、前記コンピュータに前記光学的データ構造またはその一部分を読み取らせるコンピュータ可読なプログラム・コードを備えている。
【請求項１０】
読取装置で読取り可能なデータ記憶媒体であって、基板、基板上にあって、複数のデータ・ビットを表わす光学的データ構造、および少なくとも第１の光学的状態と第２の光学的状態に存在することができ、第１の光学的状態は入力信号に曝されると第２の光学的状態に変換可能である材料を備え、第２の光学的状態はしばらくして第１の光学的状態に自発的に変換可能であり、材料は、光学的構造体に関してデータ記憶媒体に沿って一つ以上の離散的な場所に置かれる、データ記憶媒体がある場所で最初に読取られて、前記材料がそれの第１の光学的状態のあるときは、ビットデータ読取りは、そのような場所での光学的データ構造に忠実であり、一方、記憶媒体がその場所で再読され、前記材料がそれの第２の状態にあるときは、データ・ビット読取りは、その場所での光学的データ構造に忠実なものから一つ以上のビットだけ変わるようにしてあること
を特徴とする読取装置で読取り可能なデータ記憶媒体。
【請求項１１】
一つ以上の情報ピットを有する基板およびその上にデジタルとして読取り可能なランド、光学文字読取装置によるデータ・ビット、光−放射する化合物は、配置した過度の、中で、下のｌｌまたは閉路（一つ以上の前記）情報ピットおよびランド，前記化合物が光を放出しているが、前記光学文字読取装置のビット読取りに影響を及ぼしていないとき、前記化合物が光を放出していないとき、前記光−放射する化合物は前記光学文字読取装置のビット読取りに影響を及ぼすために配置される、を備える光ディスク。
【請求項１２】
基板、基板に配置され第１のセットの有効なデータを備えるデータ・トラック、および前記ディスクの少なくとも一部に配置され、前記データ・トラックの少なくとも一部分と協働する感光性化合物、前記感光性化合物がデータ・トラック内の第１のセットの有効なデータに関係なく、第１のセットの有効なデータと異なる第２のセットの有効なデータを生成するように適当なスティミュラスによって励起可能であることを特徴とする光ディスク。
【請求項１３】
第１の一組のデータを有するデータ構造および第１の組のデータを有する光学記録媒体の少なくとも一部を再読する時に、第１の組のデータを有するデータ構造に関係なくデータの第１の組と異なる第２の組のデータを生成する手段を備える光学記録媒体。
【請求項１４】
第１の一組の有用なデータを表しているピットおよびランドの中の少なくとも一方で形成されるデータ・トラックを備え、少なくとも、データ・トラックの一部の出力は、再読するときに、予想通りに変更され、データ・トラックの形成に関係なく第１の組の有効なデータと異なる第２の組の有効なデータを生成する刷ることを特徴とする光学記録媒体。
【請求項１５】
第１のセットのデータを有するデータ構造および第１のセットのデータを有する光学記録媒体の少なくとも一部を再読する時に、第１のセットのデータを有するデータ構造に関係なく、データの第１のセットと異なる第２のセットのデータを生成する手段を備えることを特徴とする光学記録媒体。
【請求項１６】
基板、データを記録でき、データを読取装置によって読取りできる前記基板上の記録部分、および前記記録部分とは別の前記基板上の表面または中にある認証材料をそなえ、認証材料は、記録部分に関するデータに関係なく、二つの異なった時点で読取装置によって読取とられうる時間−遅延で再生可能な変化応答を与えることができるような特性のものであって、前記記録部分に関して位置決めされることを特徴とする光学記録媒体。
【請求項１７】
基板、光学文字読取装置によって読取り可能で、前記光学文字読取装置に連結されたプロセッサによって解釈可能なデータを記録するための前記基板上のデータ記録層、および前記基板の少なくとも一部分に配置されている一時的な材料を備え、前記一時的な材料は、前記光学文字読取装置によって読取り可能でかつ、単独でまたは、前記データ記録層上のその他のデータと組み合わせて、前記プロセッサよって解釈可能なデータを与え、前記データ記録層の少なくとも一部分へ読取アクセスができるようにして、さもなければ前記光学読み取り装置にアクセスできず、および／またはそれによって読取できなくするというような特性のものであり、前記光学記録媒体の内部にそうなるように位置決めされることを特徴とする光学記録媒体。
【請求項１８】
光学的に記憶されて光学式読取装置によって読取り可能なデータを有する光学的記憶媒体の真正を証明する方法において、
第１の読取りのときに第１の応答をおよび第２の読取りのときに前記第１の応答と異なる第２の応答を表示する光学媒体上の少なくとも一つの場所を前記光学式文字読み取り装置で読取るステップ、および第１および第２の応答が異なる場合、光学的媒体が真正であると決めるステップを備える光学的記憶媒体の真正を証明する方法。
【請求項１９】
データが光学式読取装置によって光学的に読取可能な構造で記憶されている（またはされるかもしれない）データ記憶媒体に印をつける方法であって、前記データ記憶媒体の少なくとも一つの部分の表面または中に約７００〜約９００ｎｍの波長によって励起可能な遅延発光する化合物を含む認証材料を設置するステップを備える前記方法。
【請求項２０】
依頼人に送信されるべきデータの要求を受けるステップ、
データが記録されることになっている記憶媒体上の材料のパターンの表示を受けるステップ、データが材料のパターンの表示に基づいて送信されるように調整するステップ、および依頼人に調整されたデータを送信するステップを備えるデータを送信する方法。
【請求項２１】
ソースから目標への第１のセットのデータを送るステップ、および光学記憶媒体上に第２のセットのデータを与えるステップを備え、前記２のセットのデータは、それの意図された目的のために前記第１のセットのデータの使用を必要とし、前記２のセットのデータは、光学媒体上の少なくとも一つの感光性材料のパターンを固定することによって少なくとも一部分記録されることを特徴とする保護データへアクセスする方法、。
【請求項２２】
データを含んでいる基板および感光性材料のパターンを備えているデータと関連する認証マークを備え、感光性材料は、少なくとも二つの状態の間で変えれるのに適していて、光学記録媒体の中または表面にデータの読取りに影響を及ぼすためなどに配置されていることを特徴とする光学記録媒体を含んでいる光学記録媒体。
【請求項２３】
目標からデータ転送の要請をソースで受けるステップ、および前記ソースから前記目標へ前記目標によって要求された前記データの暗号化データ一セットを転送するステップを備え、暗号化データセットは、データが記憶される光学記憶媒体の中または表面にある認証材料パターンに少なくとも部分的に基づいている暗号化キーに従って暗号化されることを特徴とするデータ暗号化の方法。
【請求項２４】
データが光学的に読み込まれるようにデータを支えるのに適している構造体、および構造体の中または表面に配置された材料を備え、前記材料は、少なくとも二つの状態の間で変更されるのに適していて、前記構造体に関して光学文字読取装置によって前記データの読取りに影響を及ぼすように位置決めされ、かつ前記材料は、第１の状態から第２の状態へ変わるために入力信号を必要とし、前記第２の状態から前記第１の状態へ変わるためには入力信号を必要としないことを特徴とするデータ記憶媒体。
【発明の詳細な説明】
【０００１】
発明の分野
本発明は、例えば、光媒体に記録されたデータなどの記憶媒体へのアクセスの制御、および光記録媒体の複写防護並びに特に光ディスクに記録されたデータの保護に関する。
【０００２】
発明の背景
光学的に読取り可能な記憶媒体（例えば音楽およびソフトウェアＣＤおよびビデオＤＶＤ）がデジタル情報を共有して、普及させるための安価な方法を与えて、そのような媒体を製作者および消費者間での好みによる媒体している。ＣＤがほとんど音楽産業およびソフトウェア産業のカセット・テープおよびフロッピー・ディスクに代わったので、これは明らかに明白であり、ＤＶＤは、ホームビデオ産業のビデオカセット・テープに代わることにかなり侵入した。そのような光媒体に対する高い需要があるためと再生の容易の容易なことおよび低コストであるために、偽造が流行するようになった。
【０００３】
様々な複写防護技術および装置が光媒体を許可なく複製することを制限するため開発された。これらの技術の中にはアナログ・カラーストライプ保護システム（ＣＰＳ）、ＣＯＭ、コンテンツ・スクランブリング・システム（ＣＳＳ）およびデジタル複写防護システム（ＤＣＰＳ）がある。アナログＣＰＳ（別名マクロビジョン（Ｍａｃｒｏｖｉｓｉｏｎ））がＤＶＤのほかにビデオテープを保護する方法を提供する。しかし、アナログＣＰＳの実施は、媒体を読みとるために用いるプレーヤごとに回路の取付けを必要とする可能性がある。普通には、ディスクまたはテープが「マクロビジョンで保護されて」ているとき、電子回路は、プレーヤの合成ビデオおよびｓ−ビデオ出力にカラーバースト信号を送って不完全なコピーになるようにする。マクロビジョンの使用は、また、正規の再生品質に悪影響を与えることがある。
【０００４】
ＣＧＭについては、その媒体は、媒体のコンテンツを複製できるかどうかを命ずる情報を含むことができる。媒体を複製するために用いられている装置は、ＣＧＭ信号を認識するための能力を備えなければならないとともに、コピー行為を防ぐためにその信号を重視しなければならない。コンテンツ・スクランブリング・システム（ＣＳＳ）は、直接の、ビットごとのコピーを防ぐように設計されている暗号化技術を提供することができる。ＣＳＳを組み込んでいる各ディスク・プレーヤは、プレーヤが媒体にあるデータを読み取りできるようにするが、データを解読するために必要なキーを複製する防ぐ４００のキーのうちの一つを備えている。しかし、ＣＳＳアルゴリズムは分解されて、インターネットを通じて広められ、不届きな模倣者が暗号化されたディスクのコピーを作れるようにした。
【０００５】
デジタル複写防護システム（ＤＣＰＳ）は、デジタル媒体を複製することができる装置が複製可能と記されているディスクだけを複製できる方法を提供する。したがって、ディスク自体は、複製不能と記されてもよい。しかし、システムを有用にするために、コピー装置は、「複製禁止」の表示を明示するソフトウェアを含まなければならない。
【０００６】
これらの複写防護技術の各々および入手可能であるようなその他の技術が材料を光媒体から資料を複製することをよりむずかしくすることができ、かつ臨時の模倣者を阻止できる。しかし、ディスクのデジタル・コピーを作ることの意図である不届きな模倣者によって、これらの技術は、容易に回避されることができる。
【０００７】
コンテンツを光媒体から直接複製することに加えて、デジタル・コンテンツの製作者および配給者は、また、通信システム（例えばインターネット）を通じてコンテンツの未許可の配布によって悪影響を受けている。周知の複写防護システムは、それがこれらの通信システムを通じて送信中に模倣者によって妨害される場合、デジタル・データ・ファイルを複製されないように保護できないことがある。
【０００８】
発明の概要
一つの例示的実施例において、光学記憶媒体を認証する方法が開示されている。光学記憶媒体上のあるローカスが読みとられて、第１の組のデータが該ローカスから受けとられる。該ローカスは、次に、再読みとりされ、第１の組のデータと異なる第２の組のデータが該ローカスから読みとられる。
【０００９】
もう一つの例示的実施例において、光ディスクが開示されている。該光ディスクは、基板および該基板に配置されたデータ・トラックを備えている。感光性コンパウンドが少なくともディスクの一部に配置されて、適当なスティミュラスで刺激したときデータを変えるためにデータ・トラックと協同する。
【００１０】
もう一つの例示的実施例において、光学記憶媒体を処理する方法開示されている。データは光学記憶媒体上へ記録され、感光性コンパウンドが媒体に塗布される。少なくと感光性コンパウンドの一部が選択的に活性化される。
【００１１】
もう一つの例示的実施例において、光記録媒体が開示されている。該光記録媒体は、記憶されたデータおよび媒体上のあるローカスから読みとらたデータを再読時に変える手段を備えている。
【００１２】
もう一つの例示的実施例において、光記録媒体が開示されている。該媒体は、読取り可能なデータを含んでいるデータ・トラックを含む。出力の少なくとも一部分は、再読時に予想できる限り変えられる。
【００１３】
もう一つの例示的実施例において、光学記憶媒体を認証する方法が開示されている。媒体は、データを含んでいる第１の平面および感光性コンパウンドを有する第２の平面を有する。
【００１４】
該方法は、第１の平面からデータを読みとること、第２の平面の感光性のコンパウンドを刺激することおよび第２の平面からデータを読みとることを含む。
【００１５】
本発明の実施例は、記憶媒体（例えば光ディスク）へのアクセスの制御を可能にする。資料は、少なくとも二つの状態の間で変更可能である媒体に与えられることができ、その場合に、それらの状態のうちの少なくとも一つは、データが媒体から読みとられる可能性または方法に影響を及ぼす。資料は、例えば、パッケージにつけた従来のバーコード表示情報などの情報または暗号化／解読キーを表すこともあるし、または、資料の存在だけが媒体へのアクセスを可能にしてもよい。この資料は、媒体からのデータ読み取りを防ぐか、または、例えば、媒体からデータを読みとった結果を変えることができる、例えば、資料が一方の状態にある間、データ・ビット「１」が読みとられるが、資料がもう一方の状態にある間は、「０」のデータ・ビットが読みとられることができる。材料は、その正規の予想寿命の間媒体への許可されたアクセスを可能にするために恒久的であるか、または、それが一定の時間または媒体の読みとりの数の後に、もはや検出不可能になったとき、資料が媒体へのアクセスを防ぐように一時的のものであってもよい。
【００１６】
本発明の諸態様は、また、合法的にソースからダウンロードされたデータの「複製不可能なコピー」を提供するとともに、データの安全なダウンロードに備えることができる。本発明の態様は、ソフトウェアをインストールできる回数またはソフトウェアのインストールの場所を制限するために用いることができる。資料は、データのダイナミック透か入れる与えるために用いることまたは独特な方法で特定の記憶媒体を識別するために用いることができる。
【００１７】
コンピュータ上に媒体からソフトウェアをインストールするために必要とされることができることもの本発明の別の態様において、光学式媒体がそれがコードを提供するように、媒体に配置される軽い感度が高い材料を含むことができる。光学式媒体は、媒体の中又は表面に配置される感光性材料を含みそれは、コンピュータ上に媒体からソフトウェアをインストールするために必要なコードを与える。例えば、媒体上の感光性材料のパターンによって与えられるコードは、媒体に含まれるソフトウェアを適切にインストールするために媒体のユーザによって入力されるコードにマッチする必要がある。
【００１８】
本発明の別の態様においては、特定の媒体（例えばＣＤまたはＤＶＤ）が感光性材料のパターンの形で見えない認証マークまたはコードを備えていてもよい。媒体中又は表面に置かれた感光性材料のパターンは、媒体をデジタル・データを読み取りか記録するために使用可能にする前に光学文字読み取り装置によって確認されることができる。媒体は、例えば媒体の表面に置かれる蛍光染料含むことができ、材料は、特定の波長の光による刺激に即座に応答することができないことがある。しかし、この材料は、後の読み取りに検出される可能性がある遅延、持続的な応答を与えることがある。
【００１９】
本発明の別の態様において、光媒体（例えばＣＤまたはＤＶＤ）は、一時的感光性材料を使用して媒体上に記録されるデータ・トラックを備えている。一時的感光性材料は、媒体が元々意図されたように機能できるようにするために、それが弱まって不適当なデータを与える前に媒体に含まれるデータの限られた数の使用を考慮している。
【００２０】
本発明の別の態様において、ソフトウェアは、媒体のユーザが媒体に含まれるデータの一部分にアクセスできるようにするコードを与える感光性材料を含む媒体上に分散されることがある。例えば、媒体は、自由に使うことができて、その他の記録装置へコピーできるソフトウェアのバージョンを含むことがある。しかし、媒体に記録された進歩したプログラムにアクセスするためには、媒体の中又は表面に含まれた感光性材料のパターンによって表されるコードが媒体自体に最初に検出されなければならない
【００２１】
本発明の別の態様において、感光性材料のパターンを含んでいる光媒体は、感光性材料のパターンが検出されるコンピュータに取り付けられた読取装置に配置されてもよい。データ・ファイル（例えば映画またはオーディオ・ファイル）が、次に、ネットワークからコンピュータに媒体につけた感光性材料によって与えられたコードがない場合にはプレイできない形でダウンロードされてもよい。これは、インターネットを通じて媒体の中または表面に感光性材料の適当なシーケンスを含む媒体上へ記録されるときだけプレー可能なコピーをもたらすデジタル・ファイル（例えば映画）のダウンロードを考慮に入れることがある。このシステムは、例えば、適切にコード化されたディスクなしにデジタル・データ・ファイルをダウンロードすることを防ぐことができるし、またはもう一つの実施例では、適当なディスク上へもしダウンロードされなければ、プレーできないコピーをもたらすことができる。
【００２２】
一つの実施例において、光媒体が任意の記録層（例えばデータ・トラック）に加えて、光感光性材料を含むことができる。この記録層は、媒体が分配される目的の機能を実行するために媒体から読みとられることができるデータを記録するために用いることができる。例えば、媒体はパソコンで使用されるデータ・トラックに記録されるソフトウェア・プログラムを含むことができる。感光性材料は、媒体上の一つ以上の場所に配置されることができて、ソフトウェアがインストールされるとき、媒体から読みとられるデータを表しても表さなくてもよい。
【００２３】
もう一つの実施例では、感光性材料は、不完全なデータセットを完成させるために用いてもよい。例えば、データ・ファイルを媒体に記録して、それがデータ・ファイルを使用可能にするのに必要なものより少なく含むようにしてもよい。十分なデータが欠けていて、誤り訂正技術が無効になるようにしてもよい。しかし、例えば、欠けているデータは、媒体上にまたはコンパニオン媒体上に戦略的に配置された感光性材料の形で与えられることができる。両方のデータセットは、次に、使用可能なディスクになるように結合されてもよい。全プロセスは、ユーザに透明であってもよい。例えば、行方不明のデータを読みとるための命令は、媒体に含まれるソフトウェアの形で、ファームウェアの形で、ハードウェアの形でまたはユーザによって与えられる命令の形で与えられてもよい。したがって、媒体のどのコピーも、戦略的に配置された感光性材料または感光性材料にアクセスする方法に関する命令のどちらかがない場合は実施不可能であることがある。
【００２４】
もう一つの実施例では、感光性コンパウンドが下にあるデータの読みとりを妨げるように、感光性材料を読取装置の光路の中に配置することによって、デジタル・データのアクセス、コピーおよび未許可のインストールを防止できる。ソフトウェア・プログラムの許可されたユーザに与えられた命令が特定のトラックを読みとって、次に、隣接したトラックにアクセスするために指定された時間を待つようにインストール・プログラムに指示することができる。これらの命令がない場合は、感光性材料が第１のトラックを読みとると、即座に、活性化されたであろうし、感光性材料の持続の時間に等しい期間隣接したまたは近くのトラックの読み取りを妨げるだろう。したがって、真正の読み取りまたはインストール命令がこれらのトラップを避けるマップを与えるだろう。感光性材料の面積が当業者に周知のＥＦＭおよびパリティ・ビット補正技術などの精巧な誤り訂正プログラムを負かすのに十分に大きくてもよい。
【００２５】
感光性材料は、例えば、身分証明、確認、アクセス・コードまたは追加のデータを提供するため光媒体上の一つの位置または多数の一に配置されてもよい。一つの実施例において、光放射コンパウンドは、光媒体を識別するかまたはそれに関する情報を供給するために光媒体の中又は表面に置くことができ、ほとんど同様に、バーコードを製品またはパッケージを識別するために用いることができる。例えば、光媒体は、理論的には多数のセクター（例えばＣＤ−ＲＯＭまたはＤＶＤなどの円形の光記録媒体のまわりに等寸法の２０個のパイ形片）に分割できる。軽い感光性材料がこれらのセクターの各々の中で配置されるところにしたがって、デジタル・データは、各セクターの異なる位置に感光性材料があるかないかによって表されてもよい。サンプリング命令は、多くのチャネルを通して供給されてもよい。例えば、光学文字読取装置によってまたは装置のユーザによって、命令は媒体に供給されることができる。サンプリング命令は、各セクターの中の種々の位置をサンプリングするように読取装置に命じて感光性材料の有無を探すことができる。さらに、読取装置は、特定の時間遅れでサンプリングするようにかまたは波長の光源によって与えられたものからのシフトを調べるように指示されることができる。したがって、各セクターは、位置、波長、遅延の時間および感光性材料の持続などの明細が知られなければ検出されなくてもよい情報を与えることができる。異なる特性を有する多くの異なる材料が、より精巧な符号化技術を提供するために単一の媒体に使用されてもよい。
【００２６】
感光性材料は媒体または他の場所（例えば取付けられたデータ記憶装置から）に記憶されたデータへのアクセスをアンロックするコードを与えるパターン内の媒体に配置されてもよい。したがって、符号化光媒体は、データ、ファイルおよび情報へのアクセスをするためのコピー不可能なキーとして使用できる。軽い感光性材料は、読み取り時に、データ・ファイルを開けることができるようにすユニークなデータ・ストリングが作られるように媒体に配置されてもよい。データ・ストリングは、例えば放射、吸収、波長シフト、時間遅れ、または感光性材料の持続または強度の関数であってもよい。したがって、多種多様な変数が、精巧なコードを作るために単一の媒体と共に使われることができる。例えば、悪徳模倣者が遅延放射コンパウンドが媒体上のどこに配置されていたかを決めることによって媒体を復号化しようとすることがある。しかし、吸収コンパウンド、異なる持続性を呈するコンパウンドおよび異なる強度で放射するコンパウンドなどのその他の変数を模倣者をさらに妨害するために使用できる。代わりに、媒体上に感光性材料を単一のスポットに配置するなどのように、コードは簡単であってもよい。
【００２７】
本発明のこれらの及びその他の態様は以下の説明から明らかになる。
詳細な説明
本発明の一態様は、再生されることまたは複製されることから光学的に記録された媒体を保護することを目的としている。この態様は、媒体のセクションから出るデジタル・データ出力をデータを媒体の複製を防ぎながら光媒体読取装置において使用されるハードウェア、ファームウェアまたはソフトウェアに変更する必要なく読みととりできる方法で変えるように作られてい。これは、読取装置によって読みとられたデータを選択的に変える方法で従来の光学文字読取装置の中の光からの励起に反応する感光性コンパウンドをディスク上に使用することによって達成される。
【００２８】
本発明の別の態様は、記憶媒体（例えば光ディスク）へのアクセスを制御することに関する。本発明の態様は身分証明および記憶媒体の使用（例えば書き込みデータ）および／または暗号化、分配保護または記憶媒体と関連したデータのその他の使用のほかに複製防護に備えている。例えば、本発明の一態様は、通信システム（例えばインターネット）を通じて分配される可能性のあるデータの配布を制限することと同様に光媒体に記録されたデータの未許可の複製を防ぐ方法と装置を提供する。本発明の態様は、光媒体（例えばＣＤ−ＲＯＭ、オーディオＣＤ、ＭＯディスクおよびＤＶＤ）と一緒に現在使われている読取装置および書き込み装置に変更を加えないで実施できる。
【００２９】
１例として、ＣＤは、ＣＤ上の一つ以上の位置に置かれる感光性材料を含むことができる。軽い感光性材料は、ＣＤからデータの読み取りに影響を及ぼす二つの状態（例えば透明および光放射）の間で変更可能であってよい。感光性材料を例えばＣＤ読取器からのレーザー光で照らすことによって第１の状態から第２の状態へ変えて、次に、照明しないで第２の状態から第１の状態に変えさせることができる。感光性材料は、照らされるのと実際に第１の状態から第２の状態へ変わる（例えば透明から光放射に変わる）のとの間に多少の遅延時間があることがあるので、感光性材料が第２の状態に変わる前に、データがＣＤから読みとられることがある。したがって、感光性材料の遅延時間は、ＣＤの一部分に対する読みとり時間（オーバー・サンプリングを含む）より長く作られることがある。一旦感光性材料が第２の状態に変わると、感光性材料は、第２の状態のままであるか、または、多少の時間の間、ある程度の持続性を持っていてもよい、例えば、１ｍｓ以上の間光を放射し続けてもよい。感光性材料が第２の状態にある間、感光性材料は、ＣＤを読みとるかどうかおよび読取方法に影響を及ぼすことができる、（例えば、発光状態の感光性材料は、読取装置に感光性材料の下でＣＤに配置された実際のデータを出力するのではなく「０」のストリングを出力させる）、または読取装置がＣＤを読みとリできないようできる。
【００３０】
感光性材料は、ＣＤが本物であること（例えば、特定のソースから得られたことおよび／または特定の使用に対して許可されたデータを含むこと）を証明するために用いることができる。例えば、光（例えばＣＤ読取装置からのレーザー光）さらされた後に第１の透明な状態から第２の発光状態に調整する感光性材料の検出は、ＣＤについての認証試験を行うために用いることができる。認証試験は、初めに発光領域（感光性の材料が状態の変化引き起こす光にさらされなかったので初めは発見されない）を求めてＣＤを走査し、続いて発光領域求める次の走査（最初の走査において光にさらされることに応答して状態を変えた感光性材料の少なくとも一つの発光領域を捜すことに結果としてなる）をすることを含む。次の走査の間領域の発光部分の識別が続く最初の走査の間、発光部分を示さなかったＣＤの領域を識別することをそのＣＤが本物であることを決めるために使用できる。
【００３１】
上の説明は、例示的であって、以下にその他の本発明の態様について説明する。例えば、感光性の材料は、透明と発光以外の状態の間で変更可能であることができる、例えば不可視性と可視性、光伝達性と光吸収性、発光と非発光、等々。感光性材料は、情報（例えばコード（バーコードのような）、実際ので読取り可能なデータ、その他）を提供するために光媒体に配置されること、または、特定の領域の中で検出可能なだけでなく、媒体にあるデータへの連続アクセスを防ぐことができる。したがって、感光性材料は、認証機能を提供することに加えて、データ暗号化、透かし入れまたはその他の保護計画の一部として使うことができる。
【００３２】
限定されるものではないが、以下の定義が、使われる。
「光記録媒体」は、光学読取装置によって読みとられるデジタル・データを記録できる媒体を指す。
「光記憶媒体」は、光学文字読取装置によって読みとられるデジタル・データを記憶することができる媒体を指す。
「感光性材料」は、光で照射されると少なくとも二つの状態の間で変更可能である材料を指す。
「軽い感光性コンパウンド」は、光の照射に応答するコンパウンドを指す。
「光吸収性のコンパウンド」は、励起に応答して光を吸収するコンパウンドを指す。
「光放射性コンパウンド」は、励起に応答して光を放射するコンパウンドを指す。
「認証材料」は、光媒体を認証するか、識別するかまたは保護するために用いられる材料を指す。
光媒体（例えばソフトウェア、ビデオまたはオーディオ・ファイル）に記録されたデータは、認証材料でない。
「一時材料」は、限られた長さの時間の間または限られた数の読み取りを検出可能である材料を指す。
「再読取り」は、媒体に記録されたデータの一部分を初めに読みとられたあとで読みとることを指す。
「蛍光性コンパウンド」は、電磁放射による励起に応答して光を放射するコンパウンドを指す。
「蛍光コンパウンド」は、電磁放射による励起に応答じて光を放射するコンパウンドを指すが、この場合、放射は遅れるかまたは励起の時点から持続する。
「記録層」は、データが読みとり、演奏またはコンピュータへのアップロードために記録される光媒体のセクションを指す。そのようなデータは、ソフトウェア・プログラム、ソフトウェア・データ、オーディオ・ファイルおよびビデオ・ファイルを含むことができる。
「記録染料」は、記録層にあるデジタル・データを記録するために光記録媒体と一緒に使われる化合物を指す。
「保障染料」は、記憶媒体にあるデータを保護するためにある信号を出すかまたは変えるコンパウンドを指す。
「活性感光性コンパウンド」は、いくつかの感光性コンパウンドが活性状態と不活性状態の両方に存在するので感光性コンパウンドの活性な形態を指す。
「活性保障染料」は、いくつかの保障染料が活性状態と不活性状態の両方に存在するので、保障染料の活性形態を指す。
「活性化する」は、コンパウンドを不活性状態から活性状態に変換することを指す。
「非破壊性保障染料」は、光媒体を永久に読取不能にはしない保障染料を指す。「読取装置」は、光媒体に記録されてしまったデータを検出するできるすべての装置を指す。例は、ＣＤおよびＤＶＤ読取装置である。
「通信システム」は、デジタル・データを源へ目標まで転送するすべてのシステムまたはネットワークを指す。
【００３３】
現在利用できる複写防護措置計画は、普通、媒体を読みとって、いつかはコピーするために用いられるハードウェアに変更を必要とするか、またはこれらの計画は、破ろうと決心している人々によって破られる可能性のあるデータ暗号化の使用を必要とする。本発明の態様は、暗号化もハードウェアの変更も必要としないが、物理的変更を媒体そのものに取り入れることのある技術を提供できる。本発明の態様は、媒体が読取装置によってサンプリングされるとき、第１のデータセットを与え、次に、媒体が読取装置によって再読されるとき、代替のデータセットを与えることができる。
【００３４】
本発明の一態様において、光学記憶媒体上の特定の場所が読みとられ、同じ場所が再び読み返される。再読するときには、その場所から読みとられるデータは、最初の読み取りのものと異なる。これは、媒体の中または表面にコンパウンドを取り入れることによって達成できる。ある波長の光にさらすと、コンパウンドは即時に応答しないことがある。しかし、読取装置によって再読する（それは、時間的に後で起こる）と、コンパウンドは、媒体から読みとられるデータを変えるのに十分な強度および波長の光を放出する。一つの態様では、明らかになるように、データは再読すると、即座に、ブロックされる。
【００３５】
別の態様においては、基板に配置されているデータ・トラックを有する基板を備える光ディスクがディスクの少なくとも一部分に配置されていた非破壊性感光性のコンパウンドを含む。
【００３６】
本発明の別の態様において、感光性のコンパウンドは、データが記録されたかまたは記録されるであろう光学記憶媒体に塗布される。次に、軽い感光性コンパウンドの少なくとも一つの部分感光性コンパウンドが光源での励起に応答して遅延光放射または吸収を行うように選択的に活性化される。
【００３７】
別の態様においては、光学記憶媒体を認証する方法が提供され、この方法では、データが第１の平面にある光媒体の第１のトラックからサンプリングされ、同時に光媒体上の異なる第２の平面にある感光性コンパウンドを励起する。次に、第２の平面内の感光性コンパウンドから発生された出力は、光媒体からサンプリングされる。
【００３８】
別の態様においては、読取り可能なデータを含んでいるデータ・トラックが再読され、該データの少なくとも一部が再読時に、予想可能に変えられる。
【００３９】
本発明は、従来の光媒体とともに使用できる。例えば、本発明を取り入れているＣＤまたはＤＶＤディスクが、「在庫から入手できる」ＣＤまたはＤＶＤプレーヤによって読みとられるとき、保護を行うことができる。なお、本発明は、現在、例えば、ＣＤおよびＤＶＤを製作するために用いられている大量生産技術に取り込まれることができ、生産ライン工場および機械装置に変更を必要としなくてよい。図１は、本発明と連動して使用できる従来のＣＤまたはＤＶＤ読取装置の概略図である。
【００４０】
図１を参照すると、例えば、光源１０（普通にレーザー・ダイオード）は７８０ナノメートル、特定の波長の光を放出する。光源１０（普通はレーザー・ダイオード）は、例えば、特定の波長７８０ナノメートルの光を放射する。光は、回折格子２０を通過し、そこで光は一次光線３０および二次光線３１および３２に分かれる。次に、これらの光線の各々は、それらを９０度だけ偏光させる偏光ビームスプリッタ４０を通過する。これらの光線の各々は、次に、コリメーティング・レンズ５０をを通過し、それから１／４波長板６０を通過する。１／４波長板６０は、光を円偏光に変換する。偏光した平行光線は、次に、対物レンズ７０を通過して、ディスク上のレーザーの位置に関係なく、トラック速度を一定にするために可変速度で回転している光ディスク８０（例えばＣＤまたはＤＶＤ）に集点を合わされる。ディスクから反射して戻される（下記の説明を参照）すべての光が対物レンズ７０を通って、そして、更に光を偏光させる１／４波長板６０を通って逆行して、今度は、光線が１／４波長板６０を通るその最初の通過の前の、第１の光線の偏光と比較して、垂直に偏光されるようにする。反射された光線は、次に、コリメーティング・レンズ５０を逆に通過し、それの偏光の変化のために、今度は、ビーム・スプリッタ４０を通過するのではなくビーム・スプリッタ４０からはね返される。反射された光線は、それから凹レンズ９０を通り、データ・トラックに沿って光線を追跡するのを助ける円筒形レンズ１００を更に通って集点に集められる。最後に、反射光線は、信号を検出して処理できる光電検出器１１０に当たる。
【００４１】
一つの型の光学読取装置が記載されているが、本発明はこの点で制限されないで、その他の適当な光学読取装置を本発明と協働して使用できる。上の説明は、したがって、単に典型的光学読取装置を例示するだけである。当業者は、本発明と一緒に使用できる上記の要素のいくつかまたは全てを具体化するかどうかに関係なく、光学的検出器のための種々の代替物を認認めるであろう。ＣＤ　２００の拡大図は、ＣＤ上のトラックの断面図（一定割合でない）を示す図２に例示されている。ＣＤ基板２１０は一般にポリカーボネートのような重合体から作られる、しかし、その他の適当な材料を使うことができる。データは、ディスクの基板に一連のピット２２０およびランド２３０を形成することによってＣＤに記録される。ピットおよびランドは、特徴そのものの射出成形を含んでいる任意の適当な技術を使用して形成できるし、または代わりに、記録コンパウンドおよび書込レーザーを使用して形成できる。記録コンパウンドが使われる場合、データは、記録コンパウンドを隣接した重合体材料がピットおよびランドを形成するために変形される点まで加熱するように設計されているレーザーを使用して媒体に書き込まれてもよい。普通は、オーディオＣＤの場合、各ピットは、幅約１／２ミクロンで長さ約０．８から３．５ミクロンまでの間である。しかし、本発明は、この点に制限されないで、ＣＤの上にデータを記録および／または分配するその他の方法を使用できることを認めるべきである。
【００４２】
ピットおよびランドは、普通は、例えばアルミニウムの反射層２４０でおおわれており、それから保護層２３５（普通はアクリル）によっておおわれる。必要に応じて、アクリルの層は、ラベル（２５０）によっておおわれてもよい。動作時には、光線２６０（普通は７８０ｎｍの波長）は、ポリカーボネート基板２１０の表面通過し、そこでは光線はポリカーボネートの高い屈折率のためにより鋭く絞られる。高い屈折率は、また、例えば、７８０ナノメートル（赤外線）から、約５００ナノメートル（緑）へ、光の波長を変えることができる。光線は、それが非常にランド２３０によって反射され、ピット２２０によって直接の反射が少ないかまたは散乱する反射面２４０に集められる。ピットは、普通は、ポリカーボネートを通過する光の波長の約１／４の高さで形成される。ランドから反射される光は、ピットから反射される光より約１／２波長長く移動し、ピットから反射される光がランドから反射される光と位相が合わないことになる。二つの波は、したがって、互い相殺しあって、結果として検出器へ反射して戻される光がなくなる。
【００４３】
図３は、ＣＤから反射して離れる光線をデジタル情報に変換する一つの方法を略図で例示している。反射率の閾値レベルを設定することによって、ピットとランドの間の遷移を反射率から発生する信号が閾値レベルを横切る点で検出できる。閾値レベルが交差する、すなわちピットとランドの間または、ランドとピットの間の遷移が検出されるときは常に、２進数の１が読みとられる。他の全ての間隔では、０が検出される。したがって、ピットおよびランドの両方が実際に一連の０を表すことがあり、１を表す遷移である。このようにして、２進数情報をディスクから読みとることができる。当業者にとって明らかであるように、ディスク上のデータは、８から１４への変調（ＥＦＭ）規約を使用して変換できる。ＥＦＭは、多数のエラーをもたらすかもしれない頻繁な遷移を伴う極めて小さいピットまたはランドを必要とするだろうから、１が連続的に書き込まれる必要のないプロセスを提供する。なお、ＥＦＭは、少なくとも２およびわずか１０個の０が任意の対の間に現れることを特定する。さらに、３個の併合ビットがエラーを最少にするのを助けるために各１４ビット・セットの間に配置される。検出の後、１４ビット・ピースごとのデータが、２進数の８ビットの語に変換される。光媒体上へ物理的に記録される１４ビット・プロセスは、１の各対の間に１０個未満で２個以上の０を含むことができるが、すべての８ビット語を表すことができる。ＥＦＭプロトコルを説明したが、本発明はこの態様に制限されないで、その他のプロトコルも実現できる。なお、そのようなプロトコルは、使用される必要がない。したがって、上述のＥＦＭは、単にＣＤ上で結合されたデータの従来の操作を例示するだけである。
【００４４】
図３は、それが光源の下を通過するとき、生のビット・データがＣＤトラックから読みとられる方法を示す。例えば、再び図３を参照すると、転移温度を点Ａ、Ｂ、ＣおよびＤで見ることができる。これらの点の各々は、ピットとランドの間またはランドとピットの間の媒体内の遷移に対応する。これらの遷移点の各々で、反射されたレーザーから発生された信号は、閾値を横切り、１がこれらの遷移点の各々で読みとられる。非遷移点では、一連の０が読みとられる。
【００４５】
上述の図はＣＤに関して記載されているが、そのような説明のいくつかまたは全ての態様は、その他の光媒体（例えばＤＶＤ）に適用できる。本発明の方法と装置は、デジタル・データの製作者および配給者に、例えば、ソフトウェア、オーディオおよびビデオ光媒体の複製を防止するのを助ける技術を提供することができる。本発明が有効であるいくつかのフォーマットは、ＣＤオーディオ、ＣＤ−ＲＯＭ、ＣＤ−Ｇ、ＣＤ−ｉ、ＣＤＭＯ、ＣＤ−Ｒ、ＣＤ−ＲＷ、ＤＶＤ、ＤＶＤ−５、ＤＶＤ−９、ＤＶＤ−１０、ＤＶＤ−１８およびＤＶＤ−ＲＯＭを含むが、これに限定されるものではない。
【００４６】
一つの実施例において、本発明は媒体上のローカスの再読時に、光学的媒体からの出力を変えることによって複写防護措置を行うことができる。再読される記憶位置は、任意の寸法または型のものであってもよく、そして、媒体に記録されるかまたは記録されるだろう例えば、単一ビット、１バイト、１フレーム、１ブロック、１セクターまたは任意のその他の選択を含んでいてもよ。
さらに、いかなる数の異なる記憶位置は、再読するとき、出力に変化を与えることができる。
【００４７】
ＣＤおよびＤＶＤ読取装置のような多くの従来の光媒体読取装置は、再生エラーの可能性を減らすために光媒体、上の特定のローカスをオーバー・サンプリングできる。オーバー・サンプリングは、最初のサンプリングの直後に起こるかまたは遅れてもよい。光媒体に書かれたソフトウェアが読取装置に特定のデータセットを１回以上再サンプリングするように命令できるか、または、読取装置が媒体上にソフトウェアからのどんな追加の入力をもしないで多数回媒体を再サンプリングするように前もってプログラムされていてもよい。例えば、ＣＤプレーヤがデータを再サンプリングできる一つの方法がエラーを減らして適正な複製を確実にするために音声ディスクを数回オーバー・サンプリングすることによるものである。ＣＤまたはＤＶＤ上のデータセットをどんな回数、例えば４回または８回、でもオーバー・サンプリングすることができ、エラーが取り除かれるかまたは最小化されるように読取値を比較できる。一実施例においては、本発明はそのようなオーバー・サンプリングを取り入れることができる。
【００４８】
特定の場所の出力は、媒体の追加のコンパウンドをつけることによって変えることができる。例えば、最初の読み取りのときには、コンパウンドは、通過光にほとんどまたは全く影響を及ぼすことがないので、下にあるデータが読みとられて、元々記録されていたと解釈される。しかし、通過光は、コンパウンドに影響を与えて、その特性を変え、再読取りのときに、検出器によって受けられる信号は、最初のサンプリングに受けられたものと異なるようにする。コンパウンドは、感光性コンパウンドであってもよい。例えば、媒体に添加されたコンパウンドは、再サンプリングのときの光線の反射率を規定する時間枠の範囲内で反射するようになる。代わりに、コンパウンドが光の遅延放射または吸光指数を規定できるので、よい方向かまたは悪い方向に信号を変えるために用いられることができる。一つの例において、光学的媒体に記録されるたデータが光学文読取装置に媒体上の特定のローカスを再読するように指示する。例えば、読取装置は、ディスク上のあるセクターを再読するように指示されることがある。媒体は、ド蛍光性または燐光性のコンパウンドなどの感光性コンパウンを含む領域を含むことができる。この感光性コンパウンドは、普通は、特定の媒体が再生される読取装置によって使われる波長によって励起されるように選択される。例えば、ＣＤ読出し装置の場合、感光性コンパウンドは、約７８０ｎｍで吸収するように選ばれる。感光性のコンパウンドは、媒体の中または表面のどこにでも配置でき、一つの態様において、光学的媒体に記録されたデータと媒体から反射された光を読みとるために用いられる検出器の間の光路に戦略的に配置されてもよい。再読するとき、光−感光性コンパウンドからの読み取りが検出される場合、媒体上のデータへアクセスをすることができる。再読時の応答が最初のサンプリング時と同じであれば、感光性コンパウンドのないことを示して、更なるアクセスは、許されない。
【００４９】
保護は、また、使用可能な光学式媒体のために必要とされる特定の場所で、データを記録するために軽い感光性コンパウンドを用いて提供されることができる。感光性コンパウンドは、媒体の中の異なる平面に配置されてもよいので、最適に読みとられるために、光学システムの焦点距離は調整されなければならないために、ディスクに含まれるソフトウェアが光学読取装置にその焦点距離を適切に変えるように指示してもよいが、媒体を複写する企てがなされるとき、模倣者は、適切に配置された光−感光性コンパウンドを含まない媒体上の必要なデータを複写することができなくなる。
【００５０】
感光性コンパウンドは媒体内で記録データにできるだけ近くに配置される。これは、例えば、光−感光性コンパウンド領域内で光線のより正確な焦準を行うことができる、理由は媒体を構成する基板材料がデータを記録される点で光線を更に集中させるレンズとして働くからである。したがって、記録データが入っている適当な平面に光線が集中する場合、光線は、記録データからある距離にある平面内の感光性コンパウンドに完全には集中しないことがある。焦点距離のこの違いを最小にするために、感光性コンパウンド層は、記録データの直接に上か下又は上と下の両方に配置されてもよい。
【００５１】
光線が感光性コンパウンド含む媒体のローカスの上を最初に通過するとき、コンパウンドは、いくらかの光を吸収するかもしれないが、いくらかの光は、コンパウンドを通過して媒体のトラックにある記録データにぶつかり、感光性コンパウンドを通ってデータが読みとられる検出器にはねかえる、感光性コンパウンドがないときに起こるであろうように。しかし、読取装置がこの特定のローカスを再読するように指示されていた場合、読取装置は、データの同じ組を再読するために媒体上の同じ領域に戻る。しかし、この時までに、感光性コンパウンドは、読取装置によって検出された波長で放射または反射または吸収していて、検出器から発生された信号は、最初のサンプリング時に発生されたものと異なることがある、初めに低い反射率のものであった領域（例えば、記録媒体にあるピット）は、今度は、感光性コンパウンドから放射のためにｒｅｆｌｅｃｔａｎｔとして読みとられるので。感光性コンパウンドからの放射が閾値より上の信号に与えるのに十分な場合、データ出力は、最初のサンプリング時に元々読みとられたものから変えられるであろう。したがって、トラック上の同じ点で、データが初めに読みとられているか、または、再読されているかどうかに従って、予想どうりであるが、記録データが異なって読みとられることがある。
【００５２】
保護もまた、読取装置からの光の波長を変えることによって実現されることができる。媒体上の記録データは、読取装置が、媒体上の特定のローカスをサンプリングするために、異なる波長を有する異なる光源を使用する命令を含むことがある。適当な感光性コンパウンドが適当な記憶位置にある場合、コンパウンドは、異なる波長の光で照射されていることに応答して検出可能な信号を出すだろう。その結果として、これはディスクへの継続的なアクセスを考慮に入れることができる。異なる波長での応答がない場合、アクセスは否定される。
【００５３】
もう一つの実施例では、特定な時間の後に検出可能な波長で光を出す遅延蛍光性コンパウンドまたは燐光性コンパウンドを読取装置に感光性コンパウンドが蛍光を発するため必要な時間にほぼ等しい時間遅れの後に媒体上の特定のローカスを再読するように指示する媒体に記録された命令セットと組み合わせて使うことができる。感光性のコンパウンドが光源による励起の後、１ミリ秒でピークの蛍光を示す場合、媒体は、１ミリ秒の時間の後、読取装置に媒体の特定領域を再読するように指示する命令を含むことができる。１ミリ秒の時間で、予想される蛍光シグナルが検出される場合、読取装置は、媒体からの記録データを読みとり続けるように指示される。予想される蛍光が検出されない場合、ディスク上のデータへのアクセスは、否定される。このようにして、適当な記憶位置に適当なコンパウンドを含まない媒体が媒体上のデータに接近しようとしている誰に使用可能なデータを与えない。したがって、例えば、ビットごとのコピー操作によって光媒体を複製する企てがなされる場合、媒体に記録されているデータの多くがうまく転送されるが、感光性コンパウンドは再読時に活性化されるだけなので、感光性コンパウンドは、複製されず、典型的ビットごとの複製ユーティリティにおいて、ビットが読みとられるに従って、ビットが系統的に複製される。したがって、コピーは実行不可能である。
【００５４】
適当な時間遅れを示すすべての材料を使用できるので、本発明は何か特定の時間遅れに限られない。したがって、わずか１ミリ秒から２０分以上までに渡る時間遅れはを使用できる。
【００５５】
さらに、感光性のコンパウンドが、事実、複製手順の間に検出される場合、トラック上の単一のローカスが同時に２組の異なるデータを保持できないので、元々記録されていたデータを保持している光媒体上の同じ記憶位置に感光性コンパウンドによって与えられた信号を複製することができないかもしれない。したがって、媒体のコピーを作動する企てがなされるとき、読取装置は初めに媒体上の特定のローカスのサンプリングをするように指示されて、次に、そのローカスを再読して異なる応答を探す。しかし、コピーシステムが単一のデータセットを媒体上の特定のローカスに書き込むことだけしかできないかもしれないので、未許可のコピーは、二つの必要な応答のうちの一つだけしか与えることができないかもしれない。感光性コンパウンドによって表されるデータが複製される場合であっても、そのデータは、正しい記憶位置へコピーされないかもしれないので、コピーは実施不可能なままである。
【００５６】
その他の実施例において、媒体の一つ以上の領域のサンプリングと再読のどんな組み合わせも使用できる。例えば、読取装置は、媒体上の記憶位置を再サンプリングするように指示され、次に、検出不能なレベルまで蛍光が劣化するのに充分な時間待ち、ついで記憶位置のサンプリングをして、下にあるデータから受けられる信号を検出する。
【００５７】
もう一つの実施例では、読取装置自体は、媒体を読みとることを続行する前に光媒体上の特定の領域を再サンプリングして分析するようにプログラムされるかまたは設計される。このようにして、とりわけ、媒体自体にある読み取り命令を含めないで光学的に読取り可能な媒体をコピー保護することが可能である。
【００５８】
蛍光−感光性コンパウンドを使用することに加えて、その他の感光性コンパウンド（例えば、染料、顔料、燐光性コンパウンドおよび光吸収性コンパウンド）もまた、使用できる。例えば、光吸収性のコンパウンドを用いて読取装置によって放射されるかまたは媒体の特定地域から反射される光を選択的に吸収するために用いることができる。このように、本発明によって、媒体上の特定の場所からの信号を閾値より上のよみを与える１から閾値より下で読む１に変えことができるようになる。したがって、本発明を用いて、前に負の１があった場所に正の信号を供給し、または代わりに、前に正の１があった場所に負の信号を供給できる。コンパウンドの種々の組合せを同じかまたは異なる媒体に用いて、再読時に、信号の正と負の両方の変更を行うことができる。
【００５９】
感光性コンパウンドを多くの方法で光媒体に配置できる。例えば、あるコンパウンドを媒体および光学検出器に記録されデータセットの間の光路に特に配置できるた。それは感光性コンパウンドを配置するのに適切であることができる（以下、または、過度である、そして、下である）、信号を提供するのに必要であるより、大きい媒体の領域は変わる。感光性コンパウンドを信号の変更を行うのに必要であるより大きい媒体の領域の上に（下にまたは上と下の両方に）配置することが適当であることがある。感光性コンパウンドが再読時にだけ活性であることが好ましいので、コンパウンドの筋違いの配置が記録データを最初の読みとりを妨げない。さらに、感光性コンパウンドは、不活性の形で媒体に分配され、および、コンパウンドを含む特定の領域が時間的に遅くに活性化されてもよい。例えば、遅延蛍光コンパウンドの不活性な形が媒体の一部分または全てを横切ってスピンコートされてもよい。蛍光性コンパウンドの不活性な形が媒体の一部分を被覆したあと、コンパウンドを活性形に変えるために一つ以上の記憶位置でコンパウンドを選択的に活性化してもよい。
【００６０】
一実施例において、蛍光性のコンパウンドの特定の領域は、架橋によって活性化されることができる。いくつかの感光性コンパウンドの場合は、レーザーが感光性コンパウンドの不活性な形の架橋に触媒作用を及ぼすことができるので、それを活性形に選択的に変換する。この技術は、局所化されたコンパウンド活性化を考慮に入れることができて、小規模（例えば単一のビット）でデータ変更を行うことができる。感光性コンパウンドの種々の部分のこの選択的な活性化は、データをＣＤ−Ｒディスクに書き込むために用いられるものと同様の方法で実行できる。事実、同じ装置は、選択的に光−感光性コンパウンドの数部分を活性化するのと同様に、データをディスクに書き込むために用いることができる。これは、例えば、可変パワー・ライターを用いて行うことができる、または、代わりにそれは、感光性コンパウンドを記録染料によってあたえられものと異なる焦点を与える平面内でディスクに配置することによって行われることができる。この後者の方法で、書込レーザーの焦点は、それから、記録染料または感光性のコンパウンドのどちらかに影響を及ぼすように変えられてもよい。特定の媒体上のデータ・トラックが、物理的な手段、例えば、射出成形によって媒体に転写される場合、感光性コンパウンドの活性化波長は、記録染料に関係なく選択できる。
【００６１】
もう一つの実施例では、感光性コンパウンドは、読取装置によって使用する波長と同じかその近くの波長の励起波長を有するものから選択される。例えば、ＣＤ読出し装置が約７７０〜８３０ナノメートルの波長で光を放射するレーザー・ダイオードを使用すれば、感光性コンパウンドは、同じ範囲の励起波長を有するグループから選択できる。もう一つの実施例では、感光性コンパウンドは、約６３０−６５０ｎｍ（ＤＶＤ読取装置において普通に使用される波長）の励起波長を有する一群のコンパウンドから選択される。もう一つの実施例では、約７８０ナノメートルおよび約５３０ナノメートル両方の二重励起波長を持つコンパウンドが選択される。そのような二重波長コンパウンドが使われる場合、単一のコンパウンド組成がＣＤプレーヤかＤＶＤプレーヤのいずれかと一緒に使用される媒体と一緒に用いるために利用できる。そのようなコンパウンド組成は、、異なるコンパウンドの混合物であるかまたは多数の励起波長を示す単一のコンパウンドを含むかのどちらであってもよい。
【００６２】
別の態様においては、コンパウンドは、それらが、読取装置によって検出される波長と同じものであるか同じものに近い波長で放射するように選択される。例えば、ＣＤと用いる場合、感光性コンパウンドは、約７８０ナノメートルで放射し、ＤＶＤと用いる場合、感光性コンパウンドは、約６５０ナノメートルで放射する。、選ばれた保障型は、典型的光媒体記憶装置の条件の下で長期安定性を示し、このコンパウンドは、耐光性で非反応性である。加えて、ンパウンドは、重合体または光媒体基板を作るために用いられるその他の材料との両立性に基づいて選択される。感光性コンパウンドは、光媒体の予想される寿命の間安定性を示すものから選択される。
【００６３】
一実施例において、感光性コンパウンドは、一群の染料、特にシアニン染料から選ばれる。これらのシアニン染料は、とりわけ、インドダイカーボンシアニン（ｉｎｄｏｄｉｃａｒｂｏｃｙａｎｉｎｅｓ）（ＩＮＣＹ）、ベンジンドダイカーボンシアニン（ｂｅｎｚｉｎｄｏｄｉｃａｒｂｏｃｙａｎｉｎｅｓ）（ＢＩＮＣＹ）およびＩＮＣＹおよびＢ１ＮＣＹの両方を含むハイブリッドを含む。ハイブリッドは、例えば、二つの異なる染料の混合物であるか、または、もう一つの実施例では、ＩＮＣＹおよびＢＩＮＣＹを半分づつ含むコンパウンドである。一実施例において、感光性コンパウンドは、約５３０および７８０ナノメートルの両方のＣＤおよびＤＶＤ範囲の両方に励起範囲を有する連結された構造体を有するレシオメトリックなコンパウンドである。更なる実施例において、染料は燐光性であって、約１０ミリ秒の時間遅れを有する。本発明は、どんな特定のコンパウンドにも限られないで、すべての適当な波長の光を発するすべての適当なコンパウンドを使用できる。例えば、約４００ナノメートルから約９００ナノメートルへまでの一つ以上発光波長を各々が有する単一または多重のコンパウンドを使用してもよい。表１は、本発明にとって有用であるいくつかの染料を示している。
【００６４】
表１は本発明に有用な幾つかの有機染料を示している。
表１
染料名／番号　　　　　　ＣＤ／ＤＶＤ　　励起　波長　　発光　波長
アリシャン　ブルー　　　　　ＤＶＤ　　　６３０ｎｍ　　　　　吸収
（Ｄｙｅ　７３）
メチル　グリーン　　　　　　ＤＶＤ　　　６３０ｎｍ　　　　　吸収
（Ｄｙｅ　７９）
吸収
メチレン　ブルー　　　　　　ＤＶＤ　　　６６１ｎｍ　　　　　吸収
（Ｄｙｅ　７８）
イドシアナイン　グリーン　　　ＣＤ　　　７７５ｎｍ　　　８１８ｎｍ
（Ｄｙｅ　７７）
カッパー　フタロシアナイン　　ＣＤ　　　７９５ｎｍ　　　　　吸収
（Ｄｙｅ　７５）
ＩＲ　１４０　　　　　　　　　ＣＤ　　　　８２３ｎｍ（６６ｐｓ）  ８３８ｎｍ
（Ｄｙｅ  ５３）
ＩＲ  ７６８  パークロレイト  ＣＤ      ７６０ｎｍ      ７８６ｎｍ
（Ｄｙｅ  ５４）
ＩＲ  ７８０  アイオダイド    ＣＤ      ７８０ｎｍ      ８０４ｎｍ
（Ｄｙｅ  ５５）
ＩＲ  ７８０  パークロレイト  ＣＤ      ７８０ｎｍ      ８０４ｎｍ
（Ｄｙｅ  ５６）
ＩＲ  ７８６  アイオダイド    ＣＤ      ７７５ｎｍ      ７９７ｎｍ
（Ｄｙｅ  ５７）
ＩＲ  ７６８  パークロレイト  ＣＤ      ７７０ｎｍ      ７９６ｎｍ
（Ｄｙｅ  ５８）
ＩＲ  ７９２  パークロレイト  ＣＤ      ７９２ｎｍ      ８２２ｎｍ
（Ｄｙｅ  ５９）
１，１’−ダイオクタデシル  ＤＶＤ      ６４５ｎｍ      ６６５ｎｍ
−３，３，３’，３’−
テトラメチリンドダイオ−
カーボシアナイン  アイオダイド
（Ｄｙｅ  ２３１）
１，１’−ダイオクタデシル  ＤＶＤ      ７４８ｎｍ      ７８０ｎｍ
−３，３，３’，３’−
テトラメチリンド
トライカーボシアナイン
アイオダイド
（Ｄｙｅ  ２３２）
１，１’，３，３，３’，３’ＤＶＤ      ６３８ｎｍ      ６５８ｎｍ
−ヘキサメチル−
インドダイカーボシアナイン
アイオダイド
（Ｄｙｅ  ２３３）
ＤＴＰ                        ＣＤ        ８００ｎｍ（３３ｐｓ）  ８４８ｎｍ
（Ｄｙｅ  ２３９）
ＨＩＴＣ  アイオダイド        ＣＤ        ７４２ｎｍ（１．２ｎｓ）  ７４４ｎｍ
（Ｄｙｅ  ２４０）
ＩＲ  Ｐ３０２                ＣＤ        ７４０ｎｍ      ７８１ｎｍ
（Ｄｙｅ  ２４２）
ＤＴＴＣ  アイオダイド        ＣＤ        ７５５ｎｍ      ７８８ｎｍ
（Ｄｙｅ  ２４５）
ＤＯＴＣ  アイオダイド      ＤＶＤ        ６９０ｎｍ      ７１８ｎｍ
（Ｄｙｅ  ２４６）
ＩＲ−１２５                  ＣＤ        ７９０ｎｍ      ８１３ｎｍ
（Ｄｙｅ  ２４７）
ＩＲ−１４４                  ＣＤ        ７５０ｎｍ      ８３４ｎｍ
（Ｄｙｅ  ２４８）
【００６５】
感光性コンパウンドを再読時に媒体からの出力信号を変えるのに役立つどんなコンパウンドまたはコンパウンドのどんな組合わせからも選択できる。これらのコンパウンドは、遅延放射コンパウンド、遅延吸光度コンパウンドおよびその他の感光性コンパウンドを含む。例えば、再読時に反射性になる媒体の層もまた、媒体の出力を予想通りに変えるのに有効なことがある。感光性コンパウンドを用途に依る種々の厚さで光媒体に配置できる。例えば、燐光性コンパウンドがスピンコーティング・プロセスによって塗布される場合、それは、エチル乳酸塩に溶かされ、コンパウンドは、ディスク全体をオーバーコートしてもよい。コンパウンド層の厚さは、その他の要因の中で、このプロセスの間の媒体の回転の速度を変えることによって制御できる。一実施例において、コンパウンド層が、１２０ナノメートルから１ナノメートル未満までの厚さであってもよい。塗布されるコンパウンド層の所望の厚さは、媒体からのデータを読みとるために用いる読取装置の特性とともにコンパウンドの吸収、コンパウンドの放射、コンパウンドの密度および媒体の構造の関数である。一実施例において、コンパウンドは、同じ読取装置によって再読する時に適切な蛍光を与えるのに十分に高密度でありながら、光の伝達が最初のサンプリング時に下にあるデータを適切に読みとることが可能になるのに十分に薄い厚さで塗布されることができる。
【００６６】
５０〜１６０ｎｍのフィルム厚さが有効だと分かった。ＣＤのためのフィルム厚さは、約７０ナノメートルから約１３０ナノメートルまで範囲にあることが好まれる。ＤＶＤのためのフィルム厚さが５０から１６０ナノメートルの範囲内にあるのが好ましいが、もちろん、その他の適当な厚さを用いてもよい。もう一つの実施例では、感光性コンパウンドの５ナノメートルの厚さの層がＣＤの上にスピンコートされた。７８０ナノメートルのレーザー・ダイオード波長で、コンパウンドによる吸収は、約６１％であって、コンパウンドの遅延蛍光は、約１２％であった。媒体上へ感光性コンパウンドを被覆することに加えて、コンパウンドは、媒体上の特定の記憶位置に配置されてもよい。感光性コンパウンドを媒体の内部または表面に任意の深さに配置でき、読取装置が適切にコンパウンドの表面に集中できる媒体内の位置にあるのが好ましい。
【００６７】
図４は、図３に記載されたものと同様の光媒体を使用している本発明の実施例を例示する。最初のサンプリング時の媒体からのデジタル出力が示され、図３において例示された媒体から出る出力と同じものである。図４の横断面に示された光ディスク２００は、反射層２４０の近くの位置にディスクを通して配置される追加の感光性コンパウンド層４００（図３にはない）を含む。保障層４００が基板２１０内に配置されて示されるが、本発明は、この点で制限されず、感光性コンパウンドを任意のその他の適当な記憶位置に分散させることができる。、特定の記憶位置で、感光性のコンパウンド４００を、例えばレーザー触媒作用によって、架橋して、特定の記憶位置に遅延蛍光コンパウンドをつけることができる。図４を参照すると、活性化されたコンパウンドの記憶位置は、ローカス４１０に示されている。ディスク上に記録されたデータ（一連のピット２２０およびランド２３０によって表されている）は、図３に示されたものと同一である。動作についていうと、光ディスクを読みとるために用いられる絞られた光源が感光性コンパウンド層４００を通過して光の一部分が直ちに感光性コンパウンド層４００を通してはね返され、最初の読み取り時のデータ出力が図３に示されたものと同一になるようにする。
【００６８】
しかし、図５に例示されているように、活性化されたコンパウンドのローカス４１０は、光によって励起されて、コンパウンドの遅延蛍光ために、例えば、数ミリ秒後に、特定の波長の光を放射する。ディスクに与えられた命令を介して、読取装置は、その最初のサンプリングの直後にディスク上の同じローカス４１０を再読するように指示された。図５に図示したような一実施例において読取装置は、遅延蛍光の時間の付近でローカス４１０を再読する。検出器は、それが活性化された感光性コンパウンドのローカス４１０遅延蛍光によって与えられた光のために、初め受ける（図４に描かれているように）ものと異なる出力を受ける。感光性コンパウンドのローカス４１０は、ピット２７０をマスキングするように配置されて、活性化された。感光性コンパウンド４００のないディスクを示している図３へ戻ると、トラックが集中した光線を通過するにつれて、遷移がピットからランドへまたはランドからピット行われるときに、１を表す遷移が点Ａ、Ｂ、ＣおよびＤで検出される。同じ応答は、最初のサンプリング時に、図４に示された実施例の媒体から受けられる。再読に受けた応答を表している図５を次に参照すると、ローカス４１０にある感光性コンパウンドは、ピット２７０をマスキングしており、トラックが光線を通過するときに、遷移が点Ａでなお認識されるが、感光性コンパウンドのローカス４１０からの光の放射が遷移を遮断し、その代わりに点ＡとＢ．の間のランドの継続として読みとられるので、点ＢおよびＣにある遷移は、検出されない。再読の間、このスパンを横切って発生される信号は、閾値レベルと交差しないので、検出される次の遷移は、点Ｄにある。したがって、点Ａ、Ｄから生の１４ビットデータ信号は、ローカス４１０（図４）における感光性コンパウンドの励起の前に、ローカス４１０の感光性コンパウンドがレーザーの以前のパスによって励起されたとき（図５）、再読時に１００１０００１００１として読みとられる。実効反射率は、二つの遷移の除去をシミュレートするように変更された。このようにして、予測できるデータの異なる一組が同じ装置によって前に読みとられた同じ記憶位置を再読する時に、読みとられる。コンパウンド放射がおさまったあと、同じ記憶位置がさらに再読される場合、１００１０００１００１の最初の読み取りが検出されるだろう。ローカス４１０の感光性コンパウンドからの放射は、ランドからはねかえされたものほど強い必要はないが、好ましくは信号が閾値を横切らないようにするために適当な持続性強度のものであるのが好ましい
【００６９】
図６は、光学的媒体からのデータ出力を変えるために光吸収コンパウンドを使用する実施例を例示している。ディスク３００に記録されたデータは、図４および５に示されたものと同一にある。不活性光吸収コンパウンドは、ディスク３００の一部分を横切る層５００に配置されていた。ローカス５１０は、点Ｆで光吸収コンパウンドを活性にするために活性化された。ディスクを初めに読みとる時に、読取装置は、上記の図４において検出されたものに等価なデータを検出する。しかしデータを再読するときに、ローカス５１０は、レーザーの以前のパスによって励起されており、再読時には、ランド５３０から反射される光を吸収するので、この光は、検出されない。最初に、点ＥとＧの間のトラックから読みとられたデータは、１００００００００１として検出されたが、再読時には、同じセクションの上で、それが、１００１０００００１を読みとるように、光吸収コンパウンドは、データを変えた。したがって、光吸収コンパウンドを使用することで、以前には、全くなかった遷移が追加された。
【００７０】
種々の波長で光が放射および／または励起および／または吸収されるときに特定の時間遅れを有する感光性コンパウンドを取り入れることによって、時間遅れに基づいた時間間隔で媒体上の特定の領域を再読する命令で、種々のコピー防止技術を策定できる。したがって、媒体上の一つ以上の記憶位置のサンプリング、再読および再サンプリングの任意の組合わせを使用できる。なお、感光性コンパウンドの任意の組合せを用いて複写防護措置技術をさらに変えることができる。
【００７１】
図７は、本発明の種々の態様で使われるシステム６００の概略ブロック図である。この例示の実施例において、システム６００は、汎用コンピュータまたは汎用コンピュータのネットワークであってもよいデータ処理装置６１０、および通信装置、モデムおよび／または所望の入出力またはその他の機能を実行するのに必要なその他の回路またはコンポーネントを含むその他の関連の装置を備えている。データ処理装置６１０は、また、単一の特種目的集積回路（例えばＡＳＩＣ）または１列のＡＳＩＣとして、少なくとも部分的に、実現でき、各々が全体に対する主または中央処理装置セクション、システムレベル制御装置、種々の異なる特殊計算、機能およびその他の処理を中央処理装置の制御のもとに行うことに専用の独立のセクションを有する。データ処理装置６１０は、また、複数の別々の専用のプログラム可能な集積型またはその他の電子回路または装置、例えば、離散的要素回路またはプログラム可能な論理装置などの固定配線電子回路または論理回路、を用いて実現でき、また任意のその他のコンポーネントまたは装置（例えばユーザ入出力装置、キーボード、ユーザ・ポインティング・デバイス、タッチスクリーン、その他）含むこともできる。
【００７２】
データ処理装置６１０は、媒体読取装置６２０と通信することができ、それは従来のＣＤ、ＤＶＤまたはその他の光媒体読取装置であってもよい。一つ以上の本発明の態様を含むことができる光媒体が媒体読取装置６２０によって読みとられることができ、読み取りに関する情報データが処理装置６１０に送られる。データ処理装置６１０は、また、媒体読取装置６２０によって読みとられて、それから与えられるデータの表示を行うディスプレイ６３０と通信することができる。ディスプレイ６３０は、コンピュータ・モニタ、ＣＲＴまたはＬＣＤディスプレイ、一つ以上の音声スピーカ、プリンタまたは任意のその他の装置または、適当な装置の組合わせであってもよい。一つの例として、データ処理装置６１０、媒体読取装置６２０およびディスプレイ６３０は、ユーザがＤＶＤに読み込ませて、表示６３０を用いて再生させることができるように、すべて単一のＤＶＤプレーヤに組込んでもよい。データ処理装置６１０は、また、通信システム６４０（例えばインターネット、有線または無線の電気通信ネットワーク、赤外線通信システム、など）を通して、データ・プロバイダ６５０または任意のその他の装置と通信することができる。データ・プロバイダ６５０は、汎用コンピュータまたはコンピュータのネットワークまたはデータ処理装置６１０と通信できるその他の装置のを含むことができる。
【００７３】
図８は、本発明の例示の実施例にある光媒体７００の略ブロック線図を示す。この実施例において、媒体７００は、三つの異なる記憶位置またはスポットにある媒体７００に配置される感光性材料７１０を含む。この実施例において、材料７１０は、三つの異なる記憶位置に置かれているが、光感光性材料７１０は、いかなる数の方法で媒体７００上にまたは中に配置されてもよい。実施例において、媒体７００全体または媒体７００の片面は、感光性材料７１０で被覆されてもよい。その他の実施例において、材料７１０は、多くの離散的な予め定められた記憶位置にまたはランダムな様式で置かれる。感光性の材料７１０は、精密に限定された境界の中に置かれるか、または、単に指定された領域の中に大雑把に配置されるよう配置されてもよい。光−感光性材料７１０を含んでいる媒体７００の領域の形状および寸法は、すべての下にあるデータが、感光性材料７１０によって影響を受けないので重要でない。
【００７４】
感光性の材料７１０は、データが読みとられるとき、感光性材料７１０は光によって照射されるように媒体読取装置６２０の光学的読みとり経路にあるように配置される。代わりとして、感光性の材料７１０は、記録データを保持するように設計されていないか、または、媒体７００上のその他のデータの使用を必要とされないダミー・データを含む媒体７００の領域において配置されてもよい。しかし、媒体７００は、あらゆるデータを含む必要はないが、その代わりに所望のデータを書込みできる「ブランク」媒体７００であってもよいことを理解すべきである。感光性材料７１０は、媒体７００の表面および下にあるデータ層を含めてそれらの間の媒体７００の中のあらゆる深さに配置できる。例えば、感光性の材料７１０は、光が下にあるデータを読みとるために通過する媒体７００の表面に配置されてもよい。もう一つの実施例では、感光性の材料７１０は、感光性の材料７１０までの焦点距離が記録層のものと同様であるように媒体７００の記録層の近くに配置される。もう一つの実施例では、感光性材料７１０は、媒体７００の表面に配置されて、それから保護層で被覆される。
【００７５】
配置の寸法および形に加えて、光−感光性材料７１０がある程度は照らされることができるように、その他の要因は、状態を変えるのに大きな十分を決めることができる。例えば、媒体７００内の感光性材料７１０の配置の深さは、光源が検出可能な応答（すなわち状態の変化）を与えるのに必要な程度に材料７１０を照らすために適切に配置される時を決める要因であることがある。例えば、ポリカーボネートが媒体７００の基板材料として使われる場合、光線がデータ・トラックの反対側のポリカーボネートの表面に近いより、下にあるデータ・トラックにより近い記憶位置でより一層絞られた状態になるように、ポリカーボネート基板は、光線を集中させるレンズとして作用することができる。したがって、媒体７００の表面の近くで感光性材料７１０の等しい大きさと形にされた配置が感光性材料７１０がデータ・トラックまたは光源の焦点により近く基板内に置かれた場合のものより下にあるアドレス指定可能なデータ・ポイントのより広い範囲の読み取りの間、照らされることができる。これは、光線がデータ層の近くに絞られるときではなく光線がデータ層反対側の媒体の表面を打つとき、光線がより広くて、絞られ方が少より多くの領域をカバーするので、起こることがあ。これは、また、データ層においてより媒体の表面において低い光線強度をもたらすことがあり、したがって、感光性媒体の表面の近くに配置された感光性材料７１０は、適切な応答を与えるために、より密度を高くまたはより感度よく作られることがある。
【００７６】
感光性材料７１０は、直接塗布、スピン・コーティング、感光性材料７１０を媒体７００の基板に成形することおよび媒体７００の基板と共存できる第２の材料の中に感光性材料７１０を分散させることを含む任意の数の方法によって媒体７００の中または表面に配置できる。例えば、感光性の材料７１０は、ポリカーボネートのプレポリマー、ＰＶＣまたは酢酸ビニル中に分散させて、次に媒体７００上に適当なパターンで固定してもよい。選ばれた感光性の材料７１０は、代表的な光媒体記憶装置の条件の下で長期安定性を示し、光に強く非反応的である。なお、材料７１０は、重合体または媒体７００のための基板を製作するために用いられるその他の材料との共存性に基づいて選択される。感光性材料７１０は、データを媒体７００に書き込む前、書き込み中または書込み後に媒体７００で閉じ込められる。
【００７７】
感光性材料７１０は、光によって、例えば、光源によって照らされるとき反射型、吸収型または放射型になることによって影響を受ける任意の材料であってもよい。光源は、データ読みとり光（例えば媒体読取装置６２０のレーザーまたはその他の光源）である。感光性材料７１０は、二つ以上の状態の間で変化できる。例えば、材料７１０は、放射性状態と非放射性状態、吸収性状態と非吸収性状態、反射性状態と非反射性状態の間ので変換可能であってよい。材料７１０は、光源、例えばレーザー、によって励起されるとき、状態を変えることができる、そして、後で、どんな更なる照明の有無にかかわらず再び状態を変える。したがって、感光性の材料７１０は、照明の後、第１の状態から第２の状態に変わることができる、そして、後で第２の状態から再び照らされることなく第１の状態へ変化する。
【００７８】
感光性の材料７１０は、また、照らされた後、一つの状態からもう一つの状態への変化に遅れがあることがある。例えば、材料７１０は、光源による励起の後の遅延期間の間非放射性であって、それから遅延の後、光放射性になることがある。例えば、材料７１０は照明されるとき、光吸収性であって、遅延期間の後、光放射性になることができる。もう一つの実施例では、感光性の材料７１０は、第１の状態で一つの波長で光を放出し、次に、追加の励起の後、第２の状態で異なる波長の光を放出する。感光性の材料７１０は、持続性、例えば、変えられた状態にある間充分な照明または他の励起がないもう一つの状態（例えば、透明な状態）に変わる前に、感光性の材料７１０が変えられた状態（例えば、発光状態）のままである期間を有する。持続性は、例えば、１ナノ秒から１分以上まで、広く変わることがある。例えば、感光性材料７１０は、適当な光によって照らされた後に第１の状態から第２の状態まで切り替って、第１の状態（第２の状態の充分な照明またはその他の励起のない状態）へ戻る前にその持続時間（例えば１．６ｍｓ）の間第２の状態のままである。
【００７９】
別の態様においては、染料は、それらが読取装置によって検出される波長と同じかまたは同じに近い波長で放射するように選択される。例えば、ＣＤで使う場合、保障染料は、約７８０ｎｍで光を放出し、ＤＶＤで使う場合は、保障染料は、約６５ｎｍの波長で光を放出する。選ばれた保障染料は、代表的な光媒体記憶装置の条件の下で長期安定性を示し、染料は光に強く非反応的である。なお、染料は、重合体また光媒体を製作するために用いられるその他の材料との染料の両立性に基づいて選択される。保障染料は、再サンプリング時に、媒体からの出力信号を変えるのに役立つあらゆるコンパウンドまたはコンパウンドの組合せから選択されるてもよい。これらのコンパウンドは、遅延放射、遅延吸光性およびその他の感光性コンパウンドを含む。例えば、オーバー・サンプリング時に反射するようになる媒体内の層もまた媒体の出力を予想通りに変えるのに有効である。
【００８０】
これらの染料は、燐光を放出できるあらゆる無機化合物（例えば種々の濃度（瀬戸Ｄ、Ｒｏｈｒａｂａｃｈｅｒ  Ｃ、瀬戸ＪフードＬ．肛門生物化学（１９９０）、１８９、５１−３）の硫化亜鉛（ＺｎＳ）、ＺｎＳ−Ｓｉ０２、Ｚｎ２ＳｉＯ４、Ｌａ２Ｏ２Ｓまたは任意の希土類硫化物、その他の希土類硫化物（希土類オキシサルファイド）希土類酸化物単独または任意の金属イオン（例えばマンガン（Ｍｎ）、銅（Ｃｕ）、ユーロピウム（Ｅｕ）、ルテニウム（Ｒｕ）、ＥｕＦ３）と結合して酸化物サマリウム（Ｓｍ）、ＳｍＦ３、テルビウム（Ｔｈ）、ＴｂＦ３、ツリウム（ＴＭ）、アルミニウム（Ａｌ）、銀（Ａｇ）、マグネシウム（Ｍｇ））と組み合わせ）から選択でき、これらの化合物がそのような顔料（非常に細い粒子サイズ）として使われることができる（分散物としてまたは、結晶格子に詰め込まれたとき）。（Ｄｒａｐｅｒ　ＤＥ．　Ｂｉｏｐｈｙｓ　Ｃｈｅｍ．（１９８５）、２１、９１−１０１。）これらの化合物の燐光性および蛍光性特性は、結合のために用いられたイオンおよび遅延時間に従ってＺｎＳ結晶格子において変えることができ、それらが放射する波長を結合に用いられた金属イオンを変更することで制御できる。（例えば、米国特許５，１９４，２９０を参照）。
【００８１】
好ましい実施例において、セキュリティ染料（有機／無機染料）は再書き込み可能なＣＤおよびＤＶＤの場合には位相変化層に配置され、位相変化層は、化合物ゲルマニュウム（Ｇｅ）、アンチモニー（Ｓｂ）およびテルリュウム（Ｔｅ）との合金（例えばＧｅ１Ｓｂ２Ｔｅ４　Ｇｅ２Ｓｂ２Ｔｅ５）または化合物Ｓｂ、Ｃｄ（およびＳｎとの合金で構成される。
【００８２】
保障染料は、用途に従って種々の厚さで光媒体に配置できる。例えば、燐光性の染料がスピンコーティング・プロセスによって塗布される場合、それは、エチル乳酸塩に溶かされ、染料は、ディスク全体を上塗りする。染料層の厚さは、諸要因の中でも、このプロセスの間の媒体の回転の速度を変えることによって制御される。一実施例において、染料層は、１２０ナノメートルから１ナノメートル未満までの厚さにできる。塗布される染料層の所望の厚さは、媒体からのデータを読みとるために用いられる読取装置の特性のほかに、染料の吸収、染料の放射、染料の密度および媒体の構造体の関数である。一実施例において、染料は、同じ読取装置でオーバーサンプリングする時に、適当な蛍光を与えるのに十分濃厚でありながら、光を透過透過させて最初のサンプリング時に下にあるデータを適切に読みとりできるのに十分に薄い厚さで塗布される。
【００８３】
５０から１６０ナノメートルまでのフィルム厚さが有効だと分かった。ＣＤのためのフィルム厚さは、約７０ナノメートルから約１３０ナノメートルまで範囲にあることが好ましい。一方，ＤＶＤのためのフィルム厚さは５０ナノメートルから１６０ナノメートルまでの範囲にあるのが好ましい。
【００８４】
もう一つの実施例では、保障染料の５ナノメートル厚さの層がＣＤ上へスピンコートされた。７８０ナノメートルのレーザー・ダイオードの波長で、染料による吸収が約６１％であって、染料の遅延蛍光は、約１２％であった。
【００８５】
保障染料は、光媒体の予想される寿命の間染料を有効に保つ安定性を示すものから選択される。
【００８６】
保障染料の正確な設置のためのもう一つの実施例において、ピット・レベルで、保障染料は、紫外線硬化樹脂またはＵＶＡ、ＵＶＢおよびＵＶＣ範囲（２５４−３６５）のほかに波長（４００−８００ｎｍ）で硬化を生じさせることが可能である任意のその他の光重合開始剤によって調製でき、次に、適当な波長のレーザー光線を用いて、樹脂にはめ込まれた染料の正確に配置するように樹脂を硬化させることができる。
【００８７】
もう一つの実施例では、米国オレゴン州のモレキュラープローブス（Ｍｏｌｅｃｕｌａｒｐｒｏｂｅｓ）から入手可能なフルオスレスフェレス（Ｆｌｕｏｓｐｈｅｒｅｓ）（商標）（蛍光性マイクロスフェア）を用いてピット・レベルで保障染料の正確な配置ができる、これらのフルオスレスフェレス・ビーズを．０２μｍ−４．０μｍの大きさに作ることができるので。
【００８８】
もう一つの実施例では、量子ドットまたはナノクリスタルズを保障染料として使うことができる。（Ｐｅｎｇ　Ｘ．Ｇ，　Ｓｃｈｉａｍｐ　Ｍ．Ｃ，　Ｋａｄａｖａｎｉｃｈ　Ａ．Ｖ　＆　Ａｌｉｖｉｓａｔｏｓ　Ａ．Ｐ，　Ｊ．　Ａｍ．　Ｃｈｅｍ．Ｓｏｃ．（１９９７）、１１９、７０１９−７０２９。）
【００８９】
当業者によってよく理解されているように、感光性材料の活性化た状態の持続性、（すなわち材料が最初の状態に対して活性化された状態にある時間の長さ）および最初の状態の活性化された状態への変換の遅れ（すなわち最初の状態から活性化された状態を入るために材料が取る時間の長さ）は、下にあるデータの適当な読取りを可能にするため、および再サンプリングする時にデータ読取りの変化を生じさせるために役に立つ。ＣＤ−ＲＯＭにおいて８μｍのピットサイズ、１２０ｍｍの直径および１．２ｍ／ｓｅｃの代表的な回転速度が与えられると、ＣＤにおける好適な遅れは、最小限約６．８５Ｘ１０−７秒である。０．４のμｍのピットサイズ、１２０ｍｍの直径およびＤＶＤの約３．５ｍ／ｓｅｃの回転速度が与えられると、ＤＶＤの好適な遅れは、最小限約１．１４のＸ１０−７秒である。遅延が速過ぎると、感光性材料の下のデータは、読取りの前に不明瞭になる。
【００９０】
回転速度、すなわち読取装置がディスク上の同じ領域へ戻るのにかかる時間、は従来のＣＤおよびＤＶＤについては異なる。活性化された状態の持続性は、少なくともこの長さの間続かなければならない。約１．２のｍ／秒、１２０ｍｍの直径および回転の速度が与えられると、ＣＤに配置された感光性の材料は、少なくとも約３００ｍｓｅｃの持続性を示さなければならない。約３．５ｍ／秒、１２０ｍｍの直径および回転の速度が与えられると、従来のＤＶＤに配置された感光性材料は、少なくとも約１００ｍｓｅｃの持続性を示さなければならない。持続性があまりに短い場合、活性化された状態は下にあるデータを再サンプリング時に不明瞭にすることが分からないであろう。持続性が長すぎる場合、ディスク上のデータを感光性材料の活性化の後の受け入れられる時間の中で読取りできないことがある。ある種の無機感光性の材料（例えば硫酸亜鉛）の持続性は、分子サイズを変えることによって制御されることができる。ある種の無機化合物が格子に配置されるとき、活性化された状態の持続性もまた、変わることががある。例えば、ＺｎＳの蛍光の持続性は、化合物を酸化シリコンの格子中に配置することおよび希土類元素、銅およびＭｎを異なる組合わせの配位結合化合物として入れることによって変えることができる。
【００９１】
粒子サイズは、１００ｎｍ未満（より好ましくは、１０ナノメートル未満）であり、光ディスクのピット・サイズだけが読み込まれる（従来のＣＤの場合約０．８μｍおよび従来のＤＶＤの場合う約０．４μｍ）ことが一般に好まれている。感光性の材料は、コーティングが分散および非干渉性を引き起こすほど厚くないようにしてディスクに配置されなければならない。好ましくは、感光性材料のどんなコーティングも、１００ナノメートル未満でなければならない。感光性材料が活性化で反射率を変えるとき、ピット／ランドベースの光ディスクについての屈折率の最小限の変化は、ピットとランドの間の屈折率の変化と一致するように、少なくとも約０．３〜０．４でなければならない。
【００９２】
媒体７００は、デジタル・ファイル（例えばデータセット、コンピュータプログラム、音、映像およびビデオ）のためのデータを含むことができる。感光性の材料７１０は、材料７１０の存在が最初の読み取りの間または従来のオーバー・サンプリングを用いる単一の読取り動作において検出されてもされなくてもよいように媒体に塗布されてもよい。材料７１０は、それらの存在をオーバー・サンプリングを用いる単一の読取りの間に検出されることができない（例えば遅延時間がオーバー・サンプリングを含む全読み込時間より大きい）ように、選択される場合、読取装置６２０は、最初の読取りの後じきに媒体７００の同じ領域を再読することを指示され、そして、感光性材料７１０は、状態を変えてしまう。
【００９３】
従来の光媒体読取装置６２０において使われるものと異なる波長および強度の光が感光性材料７１０を照らすために使用されることがあるが、従来の読取装置に使われている光源に応答する感光性化合物を使用することが有利であることがある。さらに、感光性化合物は従来の読取装置６２０によって検出可能であることが好ましいことがある。しかし、感光性の材料７１０は、光以外の信号（例えば電場または磁場）にさらされるとき、局部的に温度が上がるなどで状態を変えるその他の材料によって置き換えられることができる。１例は、例えば、媒体読取装置６２０の読出光またはその他の熱源によって引き起こされる局部的な温度の上昇に応じて状態を変える材料であり、状態変更は、読取装置６２０の光によって検出できるようなものである。
【００９４】
感光性材料７１０が光媒体７００に関連して与えられるいくつかの方法を説明したので、感光性材料７１０が２、３の例示の実施例において使われる方法に関する例を説明する。上記した本発明および／または以下の例の種々の態様を単独でまたは単一の装置またはアプリケーションに種々の方法で組み合わせて用いてもよいことを理解すべきである。
【００９５】
例１
一つの例示の実施例において、媒体７００上の感光性の材料７１０の存在が、媒体７００が許可された媒体７００であることおよび／または特定の使用のために許可されたデータを含むことを決めるために用いられている。本実施例において、媒体７００上の感光性の材料７１０が、コンピュータ上の媒体７００に記録されるソフトウェアの未許可の取付けを防ぐ取付け計画によって使われているが、しかし、同じか類似の技術が媒体７００の未許可の使用、媒体７００上のデータの未許可の使用、例えば読込みまたは書込み、などを防ぐために用いることができる。この例では、インストール・プログラムは、ソフトウェア規約を表すデータ共にことは媒体７００に記録されるが、しかし、インストール・プログラムはその他の方法（例えば、媒体読取装置６２０のメモリに記憶される）で与えられることができる。別の媒体７００などに与えられてもよい。
【００９６】
図８に示された媒体７００上にインストールする企てがなされるとき、インストール・プログラムは、例えば、媒体読取装置６２０によって媒体７００から読み取られて、データ処理装置６１０によって実現される。インストール・プログラムは、取り付けられるべきソフトウェアが許可された媒体７００の中に含まれていることを確認する命令を含む。認証手順の一部分は、限定されたシーケンスおよび／または限定されたタイミングで媒体７００の読出部分を含むことができる。読取りシーケンスおよびタイミングは、インストール・プログラムの一部として記憶されてもよいし、または例えば、乱数発生器を用いるプログラムによってランダムに決められでもよい。例えば、インストール・プログラムは、最初の読取りの間、媒体７００のセクター７００ａ−７００ｆ内にある部分を順番に読み込むように媒体読取装置６２０に指示してもよい。感光性の材料７１０の性質によって、読取装置６２０は、最初の読取りの間の感光性材料７１０の存在を検出しないで、読取り結果を表している信号を出力することがある。例えば、材料７１０の遅延時間が各セクター７００ａ−７００ｆに対する読取り時間より長い場合、読取装置６２０は感光性材料７１０を検出することができない。上記のように、感光性材料７１０は、実際の目標または、ソフトウェア・プログラムの諸部分などの、使用可能なデータに関連してまたはダミー・データに関連して媒体７００に配置されてもよい。したがって、読取装置６２０は最初の読取りの後、セクター７００ａ−７００ｆの各々から読み取られたダミー・データを表している信号を出力することがある。簡単にするためおよび一例として、読取装置６２０は、各「０」が最初の読取りの間に６個のセクター７００ａ−７００ｆの各々から読取られたダミー・データを表している信号「００００００」を出力する。
【００９７】
次に、インストール・プログラムは、媒体読取装置６２０に２番目の読取りの間に再びセクター７００ａ−７００ｆをその順に読み込むように指示する。各セクター７００ａ−７００ｆは、セクター７００ａ−７００ｆの２番目の読取りは、遅延時間（もしあれば）後で感光性材料７１０に対する持続性時間の範囲内で起こるようなタイミングで読取られるべきである。そのように、セクター７００ａ、７００ｃおよび７００ｅの各部分の最初の読取りが感光性の材料７１０を照らして、材料に状態を変えさせるために充分であったと仮定すると、２番目の読取りは、感光性材料７１０がその変更状態にある間に行われるであろう。感光性の材料７１０が２番目の読取りサイクルの間、それの変更状態にあるので、媒体読取装置６２０は、その変更状態にある感光性材料７１０が遭遇した読み込みを表している信号を出力するだろう。例えば、媒体読取装置６２０は、２番目の読取りのための信号「０１０１０」を出力することができる。ここで「１”」は、変更状態の感光性材料７１０がセクター７００ａ、７００ｃおよび７００ｅにおいて生じた読取りを表し、「０”」は、セクター７００ｂ、７００ｄおよび７００ｆで読取られた読取りダミー・データを表す。２番目のサイクルの間のセクター７００ａ、７００ｃおよび７００ｅの読み取りは、媒体読取装置６２０が最初の読取りの間のものと異なるデータを読みとる結果になり、例えば、感光性材料７１０の下のダミー・データは、「０”」のストリングを含み、一方、２番目の読取りサイクルの間の感光性材料７１０は読取装置６２０に「１”」のストリングを読み込ませる。感光性の材料７１０は、２番目の読取りサイクルの間に媒体７００の読み込みにその他の影響、例えば読取装置６２０に「ファイルの終り」信号、媒体７００が読取りできないことを示す信号または感光性材料７１０が変えられた状態にあることを示す何らかのその他の表示を与える。
【００９８】
第１および第２の読取りサイクルの間に発生する二つの信号を比較することによって、（例えば、二つの読取りがセクター７００ａ−７００ｆの同じ部分を読み取ることから異なる結果を与えたことを決める）、インストール・プログラムは媒体７００が真正の媒体（未許可のコピーに対して）であって、ソフトウェア・プログラムの取付けの続行を可能にすることを決めることができる。さもなければ、インストール・プログラムは、プログラムの取付けを拒絶することができる。
【００９９】
インスｔ−ル・プログラムが、必ずしも認証プロセスの間の媒体読取装置６２０から出る予想される出力および実際の出力の間の正確なマッチを必要としない。出力が所望の範囲の値の中にｒことを必要とするだけである。上の例の簡略化さその代わりに、インストール・プログラムは、媒体読取装置６２０からの実際のれた拡張を使用して、少なくとも一つのセクターが感光性材料７１０を含む限り、感光性材料７１０は、製造の間、セクター７００ａ−７００ｆのどれか一つに与えられる。この場合に、そして、上述の例を用いて、インストール・プログラムは、第２の読取りサイクルの間に媒体読取装置６２０から出る実際の出力を受け入れ、「００００１」と「１１１１１」の間の範囲は認証目的のために受け入れ可能である。
【０１００】
各セクター７００ａ−７００ｆの比較的大きい領域が認証の間に読取られるので、各セクターの中の感光性材料７１０の正確な位置決めは必要とされない。その代わりに、おおよその位置決めで十分である。さらに、媒体７００は、必要に応じて、６セクター７００ａ−７００ｆより多くまたは少なく概念的には分割できる。セクターの数の増加が感光性材料７１０に対する可能な記憶位置の数を大きくするので、より複雑で強力な防護計画を与える。更に、各媒体７００は、１グループ内のその他の媒体７００と比較して、そのセクターの感光性材料７１０のユニークな分布を持っていてもよい。したがって、ユニークなコードを異なる記憶位置に置かれた感光性材料７１０を用いて各媒体７００に与えてもよい。保護を媒体７００に配置された感光性材料７１０の遅延時間および／または持続性を変えることによって更に高めることができる。
【０１０１】
例２
当業者は、上述の例１は、保護の異なるおよび／またはさまざまなレベル与えるために多くの方法で変えることができることを認めるであろう。第２の例として、真正の媒体７００は、各ディスクに特有で、媒体７００に伴っているカードに印刷される英数字セキュリティ・コードを備えることができる。取付け時に、インストール・プログラムは、セキュリティ・コードを入れることをユーザに要求する。インストール・プログラムは、次に、インストールされるべきソフトウェアを有する媒体７００の真正を証明するために前記コードを使用できる。例えば、インストール・プログラムは、暗号化キーまたはパスワードとして、セクター７００ａ−７００ｆの読取りシーケンスおよび／またはタイミングを決めるため、感光性材料７１０が配置される媒体７００上の場所を決めるため、所定のセクターの読み込みシーケンスを使用するとき、媒体読取装置６２０からの予想出力を決めるためなどにセキュリティ・コードを使用することができる。この情報に基づいて、媒体７００は、読取られ、読取装置６２０からの出力は、セキュリティ・コードに基づいて決められた予想出力と比較される。
【０１０２】
セキュリティ・コードは、代わりに、感光性材料７１０が媒体７００に配置される方法（例えば、従来のバーコードと同様の方法で）および／または感光性の材料７１０のその他の特徴（例えば感光性材料７１０の各スポットに対する遅延時間および／または持続性）に基づいて媒体７００に設けられてもよい。１例として、インストール・プログラムは、媒体読取装置６２０に初めに媒体７００上の感光性材料７１０の存在および記憶位置が決められている方法で媒体７００を読み込むように指示することができた。感光性の材料７１０の遅延および／または持続性のその他の特徴がセキュリティ・コードをコード化するために用いられる場合、インストール・プログラムは、感光性材料７１０の記憶位置を材料７１０の遅延および／または持続性を決めるためおよびセキュリティ・コードを決めるためおよび／または媒体７００を認証するためその追加の情報を用いるために種々の方法で読み取ることができた。インストール・プログラムは、媒体読取装置６２０に１ｍｓ、１０ｍｓおよび１００ｍｓの異なる読取り遅延時間を用いて感光性材料７１０の各記憶位置を読み込むように命令できた。感光性の材料７１０の状態の変化が１ｍｓおよび１００ｍｓ後ではなく１０ｍｓの遅延時間後に検出される場合、感光性材料７１０の遅延時間は１ｍｓおよび１０ｍｓの間にあり、持続性は９９ｍｓ未満であるという判定がなされる。この情報は材料７１０の記憶位置に関する位置情報と一緒に、セキュリティ・コード、媒体識別番号、英数字シーケンスまたは媒体７００上の感光性材料７１０のパターンによって与えられるその他の情報を決定／復号するために用いることができる。復号化情報は、媒体７００の特性を決めて、それらの特性を認証プロセスの間に検出された特性と比較するために用いることができる。例えば、復号化媒体識別番号は、例えば、記憶された情報を用いて、媒体７００が特定の記憶位置にあって特定の遅延時間および／または持続性を有する感光性材料７１０を含まなければならないことを決めるために用いることができる。この情報は、検出された記憶位置、遅延時間および媒体７００の読み取りの間に決められた持続性値と比較される。比較は、媒体７００は真正で、使用（読み取り、書込み、媒体７００上のデータの変更など）につて許可されていること、または、媒体７００の使用は拒絶されるべきこと決めることに結果としてなる。
【０１０３】
例３
上述の例において、感光性材料７１０の単一のスポット関連している対比が媒体７００の特定の部分を読み取ってなされなかった。本発明のこの例示の実施例において、感光性材料７１０の単一のスポットと関連する媒体７００の異なる部分が読み込まれる。図９は、媒体７００の一部分および光−感光性材料７１０のスポットまたは領域を示す。媒体７００は、各々が感光性材料７１０の対応するスポットと関連する複数の領域を有するが、簡単にするために媒体７００の単一の部分の読み取りだけを以下に論じる。さらに、感光性材料７１０は、図９の４本のトラックａ−ｄを伴なっているが、感光性材料７１０は、それがいかなる数の隣接したトラックとも関係するように媒体７００の中または表面に配置される。媒体７００のための認証手順の一部分は、光−感光性材料７１０のスポットと完全に関連する媒体７００上の複数のトラックａ−ｄを読み込むことを含む。感光性材料７１０のスポットの記憶位置は、例えば、領域の媒体７００を検索することによって、媒体識別番号が特定の予想される材料７１０の記憶位置と符合するルックアップ表を参照することによって、などなどで上述のように決められる。トラックａ−ｄの読み取りは、媒体７００の読み取り部分と同じかまたは同様の目的例えば媒体７００のためのセキュリティ・コードを決めること、媒体７００上の感光性材料７１０の存在を証明する（例えば、特定の記憶位置で、および／または遅延時間および持続性のような特定の属性を有する記憶位置で）ことなどのために行われる。しかし、この実施例において、感光性の材料７１０と関連するトラックａ，ｂ，ｃまたはｄに沿ったどの点も光源によって読み込まれる場合、感光性の材料７１０は、状態を変えさせられる。すなわち、読み取りのためのトラックａ−ｄの中のいずれかの照明が感光性の材料７１０を照らして、一つの状態からもう一つの状態に変わらせる。例えば、読取装置６２０がトラックａのセクションをサンプリングするように指示されており、感光性材料７１０が１０ｍｓの遅延時間を有する蛍光性化合物である場合、感光性材料７１０の一部分の照明が材料７１０の全てのスポットに状態を変えさせるので、最初の読取りの間、照明の後１０ｍｓでのトラックａ、ｂ、ｃまたはｄの読み取りは、結果として読取装置６２０が感光性材料７１０の存在を検出することになる。
【０１０４】
しかし、感光性材料７１０の応答が異なって例えば、光感光性材料７１０の照らされた部分だけが状態を変える場合、トラックａの読み取りは、隣接トラックと関連する感光性材料７１０の一部分だけに状態を変えさせる（トラックａと関連する部分に加えて）。これは、例えば、感光性の材料は、トラックと異なる焦点面にある目標トラックａによって限定されるものより大きい領域をカバーしている光線読み取りトラックａの結果として生じさせられ。したがって、光線は、トラックｂに関連するがトラックｃまたはｄと関連する部分ではない感光性材料７１０の部分を照らすことができる。さらに、感光性の材料７１０は、読み取りデータのために使用された光線と同様に追跡を手伝うために用いられた光線によって励起されてもよい。これらの追加の光線は、単一の読取りによって励起されることができる感光性材料７１０の領域を更に広げることができる。その結果、トラックａ（遅延時間（もしあれば）の後および感光性材料７１０の持続性時間以内にトラックｂの読み取りが続く）の読み取りは、媒体読取装置６２０が、トラックｂを読み込んでいるとき、感光性材料７１０が変更状態にあることを検出する結果になる。
【０１０５】
１例として、媒体読取装置６２０は、トラックａ、トラックｂ、トラックｄ、それからトラックｃを読み込むように指示されることがある。読み取りが感光性材料７１０の遅延より長い時間の範囲内で、かつ、持続性時間の間に起こる仮定すると、読取装置６２０は、トラックａから材料７１０によって影響を受けていないデータを読み込み、感光性材料７１０は、トラックｂを読み込む間変更状態にあることを検出し、トラックｄからの材料７１０によって影響を受けてないデータを読込み、そして、トラックｃを読み込む間、材料７１０は変更状態にあることを検出する。もちろん、トラックａ−ｄの読み取りは、任意の適当な順序で、そして、任意の遅延によって実行されてもよい。読み取りの結果は、媒体７００を認証するため、媒体７００のためのセキュリティ・コード、識別数またはその他の情報を決めるためなどなどに上記のように使うことができる。さらに、感光性材料７１０は、トラックａ−ｄに関して精密に配置される必要はない。事実、材料７１０の不正確またはランダムな配置が各媒体７００上の材料７１０のユニークなパターンをつくるために用いられることある。材料７１０を感光性材料７１０を有する多数のスポットに備えることによって、精巧な読取りシーケンスが下にあるデータを正確に得るために必要になることがある。適当な読取りシーケンスが守られる場合、データはその意図された目的のために使われることができる。しかし、不適当な読取りシーケンスが使われる場合、例えば、読取装置が単に順次方式でトラックに沿って進む場合、材料７１０は、下にあるデータの読み取りを妨げて実行不可能なデータセットをもたらす。
【０１０６】
上記したその他の例と同様に、感光性材料７１０の諸領域は、誤り訂正技術（例えばＥＦＭ）が変更状態にある材料７１０の検出をマスキングしないようにするのに十分に大きく作られることがある。例えば、誤り訂正技術のマスキングを防ぐために、材料７１０は、データの５０，０００または１００，０００隣接ビット以上および／または以下、すなわ従来のＣＤ上のほぼ２ｍｍ以上および／または以下に配置されてもよい。したがって、適切なジャンプおよび遅延を含めて、必要な読取りシーケンスが実現されるときだけ、下にあるデータは媒体７００から適切に読取られるであろう。
【０１０７】
一つ以上のトラックが隣接トラックの以前の読み取りによって読み取り不能にされることのあるこの同じ特徴は、適当な読み取りシーケンス（媒体７００の上または中の感光性材料７１０の記憶位置、遅延および／または持続性を説明するために異なる時間に異なる領域を読み取ることを含むことがある）を使用しないで媒体７００上のデータの連続的複製または媒体７００上のデータの複製を防ぐために用いることができる。例えば、全媒体７００は、最初の部分が読み込まれない限り媒体７００に記憶されたデータが媒体７００から逐次に読取られることができないように感光性材料７１０で被覆されることあり、それによっ感光性材料７１０に状態を変えさせ、変更状態を有する材料７１０と関連する次の隣接した部分が材料７１０がその変更のない状態へ戻ったあとで読み込まれる。媒体７００を適切なタイミングなしで逐次的に読み取と、変えられた状態にある感光性材料７１０を読み込んでいる媒体読取装置６２０によって媒体７００から読み込まれているデータを使用不能にすることになる可能性がある。
【０１０８】
同様に、感光性材料７１０およびデータは、データが特定のアクセス・シーケンスを使用して接近されるときだけ、データはうまく読み込まれるように、媒体７００上の戦略的な記憶位置に置かれることがある。アクセス・シーケンスは、媒体７００上のデータの一部として記憶される（そして、おそらく暗号化される）されてもよいし、英数字コードとしてユーザによって与えられてもよいし、および／または媒体７００上の感光性材料７１０の上記のもと同様な記憶位置、遅延および／または持続性によって記憶または符号化されてもよい。
【０１０９】
その他の例と同様に、例えば、吸収度、放射および反射率を示している材料７１０の種々の組合わせが、使われることがある。さらに、種々の遅延時間および持続性時間を示している化合物をより精巧な保護システムをつくるために一緒に用いることがある。例えば、ディスクがビットごとの複写によって複製される場合、感光性材料７１０は複製されない可能性があり、したがって、データの複製されたバージョンはインストール不能、読取不能かさもなければ使用不能であろう。未許可のコピーのユーザがユーザ規約にアクセスするかまたは許可されたコピーを所有していようがいまいが関係なく、これは有効である。
【０１１０】
例４
本発明の別の態様を使用して、光媒体７００（例えばＣＤおよびＤＶＤ）は、限られた時間の間または、限られた読み取り数だけ読み込まれることができる。例えば、媒体７００はある長さの時間（例えば１ヵ月）の後、または、ある数の読み取り（例えば、３読み取り）の後に、弱まるかまたはさもなければ検知できなくなる光−感光性材料７１０を含むことがある。感光性の材料７１０は、使われることができる上記の方法の中のどの方法ででも、（例えば、媒体７００上のスポットに塗布される方法や媒体７００を認証するために用いられる方法）使用できる。材料７１０が弱まるかまたはさもなければ検知されなくなったあと、媒体７００上のデータはもはやアクセスできない。代わりとして、材料７１０は媒体７００）上の実際に使用可能なデータ（例えばＤＶＤ映画のデータ部分をコード化するために用いることができ、材料７１０がもはや検出可能でなくなったあと、媒体７００は事実上空白になるか一部分だけそうなる。この種の一時的な媒体７００は、映画またはソフトウェアのレンタル業界において有効であるかもしれない、なぜならば、媒体７００は、そうするので、媒体７００の許可された使用の後および／またはそのコンテンツが終了した後は貸主にはもはや無用だからである。
【０１１１】
例えば、感光性の材料７１０は、媒体７００上の特定の記憶位置に配置された持続性の感光性化合物であることがある。材料７１０の持続性は、年令または使用によって減少することは知られていて、３プレーの後、持続性は、例えば、検出可能な強度で２ｍｓから１ｍｓ未満まで減少するようなものである。したがって、感光性の化合物７１０が配置された記憶位置は、読み取られて、それから約１ｍｓの後、再読される。ある応答が再読時に感光性の材料７１０から検出される場合、持続性は１ｍｓよりまだ大きく、データの読み取りが続行できる。感光性材料７１０からの応答が全く検出されない場合、持続性時間は受け入可能なレベル以下に落ちてしまい、データへのアクセスは拒絶される。このようにして、最初の読取りから再読までの時間量を変えることによって、同じ記憶位置に同じ光−感光性材料７１０を持った、同じ媒体７００は、異なる有用寿命を備えていることがある。たとえば、データ・アクセスは、１．５、１．０または０．５ｍｓの閾値再読時間に基づいて与えられるかまたは拒絶され、１．５ｍｓは、１ヵ月の古さである媒体７００に対応し、１．０ｍｓは、３ヵ月の古さである媒体７００に対応し、および０．５ｍｓは、１年の古さである媒体７００に対応している。
【０１１２】
限られた数の使用だけを与えることに加えて、媒体７００はまた、上記の例において使用されたものなどの、コピーおよび／またはアクセス保護技術を組み入れることができる。たとえば、燐光性化合物は媒体７００上の種々の点に配置されてもよいし、持続性の読み取りはディスクをプレーすることを続行する前にこれらの記憶位置から検出されなければならない。このようにして、限られた回数だけ使用できるコピーを保護された一時的データ・ファイルが提供っされる。
【０１１３】
例５
本発明のもう一つの実施例において、光学的媒体７００（例えばＣＤまたはＤＶＤ）は、自由に使われて、複製される可能性がある映画、オーディオ・ファイル、プログラムまたはデータ・ファイルのバージョンまたは一部分を含むことができる。例えば、これはソフトウェアの一部分のデモ版または映画の後書きであってもよい。光学的媒体７００は、また、例えば、全ソフトウェア・プログラムまたは普通の長さのＤＶＤ映画を含むことがあるアクセスを防護されたファイルを含むことができる。プログラム、映画またはオーディオ・ファイルの完全版にアクセスするために、ユーザは、公認ソースから得ることができて、特定の光学的媒体７００に固有であるかもしれないコードを入力しなければならない。一旦コードが入力されれば、適当なインストール・シーケンスまたは読出しシーケンスは、実現され（例えば媒体７００上の感光性材料７１０の予想位置および型が証明される）、そして、データの完全版にアクセスできる。アクセスを制限するほかに、本発明が、上に概説されたものと同様の方法で複写を防ぐために用いられてもよい。したがって、所有者がアクセス・コードを備えた後でさえ、追加の機能的コピーを行うことはできない。
【０１１４】
例６
本発明の別の態様によって、データ・ファイル（例えば映画、ソフトウェアおよび音楽）が安全にインターネットを通じて送信されて、許可されたユーザがコンテンツに完全にアクセスできる光学的媒体７００上へ記録されることが可能になる。
【０１１５】
例えば、「ブランク」光媒体７００が媒体７００の種々の部分と関連したデータ記録層および光−感光性材料７１０を（無料または有償のいずれか）で与えられることができる。感光性の材料７１０（たとえば燐光性の化合物）のパターンは、この特定の媒体７００または小グループの媒体７００に対して特有である。媒体７００のユーザは、通信システム６４０（例えばインターネット）を通じてデータ処理装置６１０を使用してコンテンツのデータ・プロバイダ６５０と接触することができて、特定のデータセット（例えばＤＶＤ映画またはソフトウェア）を要求することができる。ユーザがコンテンツ（例えば映画）を購入するかまたは賃借することに決めると、媒体７００上の感光性材料７１０のパターンに特有である媒体７００のためのユニークなコードが媒体読取装置６２０によって検出される。媒体読取装置６２０は、プロバイダ６５０から受けた読取り命令、媒体７００に記憶される命令、１組の標準の読取り命令、などを使用することによって媒体７００を読み込むことによって前記コードを決めることができ。このユニークなコードは、それからデータ・プロバイダ６５０へ送信されることができる。代わりとして、ユーザは、データ処理装置６１０にコードをタイプして、通信システム６４０通じてコードを送ることによって媒体７００のためのコード（例えば通し番号またはその他の識別子）を与えることができた。
【０１１６】
コードに基づいて、データ・プロバイダ６５０は、要求されたデータの保護バージョンを作ることができる。映画の保護または暗号化バージョンは、それがプロバイダ６５０からユーザへ送信されるフォームでは実行不可能なことがある。したがって、プロバイダ６５０によって送られたファイルが送信の間に妨害される場合、もし適切な媒体７００と関係していなければ、そのファイルは使うことができない。プロバイダ６５０へ送信されたコードは、媒体７００上の感光性の材料７１０のパターンに関する情報を与えるので、送信される暗号化されたファイルは、特定の媒体７００だけ機能するように独特に製作されてもよい。したがって、データがユニークな媒体７００上へ記録されるときだけ、ファイルは使用可能になる。一旦データが媒体７００へ書き込まれると、それは、永久的なデータ記録技術が使われた場合、無限回数使うことができるし、または、代わりとして、上の例４に記載されているものなどの一時的な記録面または感光性材料７１０を用いて限られた数のプレーができる媒体７００を製作してもよい。
【０１１７】
アクセス可能であるべき特定の遅延および／または持続性を有する媒体７００が特定の記憶位置に感光性材料７１０のあることを必要とすることがあるので、媒体７００のバイトごとの複写は、実施不可能なデータ・ファイルもたらすことがある。このようにして、著作権で保護された材料の製作者または配給者は、空白の媒体７００のために課金するかダウンロードのために課金するかのいずれかを行い、コンテンツの単一のコピーだけが、作られて使用されると信じきっている可能性がある。別の実施例において、感光性の文献７１０のユニークなコードを有する媒体７００が、もう一つの媒体７００の暗号化されたファイルを解くためのキーとして使われることができ、そして、暗号を解かれた完全なファイルは、複写防護措置機能（例えば上記したもの）を含む第２のディスク上へ、複製されてもよい。このような方法で、単一のユニークなディスクを多数の映画、歌または効率的な会計および支払い請求方法を考慮に入れているプログラムをダウンロードするために用いることができる。
【０１１８】
感光性材料７１０が、媒体７００に記憶されたデータにアクセスできるようにするために異なる方法で使われてもよい。例えば、プロバイダ６５０によって送信されたデータは、例えば、データが媒体ために書き込まれるとき、感光性材料７１０によって修正される数１０００の生来のエラーを持っていることがある。すなわち，データは、データのエラー部分は、感光性材料７１０のスポットと関連ｎのある部分において媒体７００に書き込まれるように構成されることができる。したがって、適当な読取りシーケンスおよび／またはタイミングを使用して、材料７１０は、不正確なデータは、読み込みの間に材料７１０によってマスキングされるかまたは修正されるよう状態を変えられてもよい。例えば、材料７１０は、オーバー・サンプリングを用いて媒体からデータを読み込むために必要な合計時間の半分より少ない遅延時間持つことができる。これは、不正なデータをマスキングしながら修正データを与える材料７１０の読取りをもたらす。もちろん、遅延時間は、オーバー・サンプリングを用いる単一の読取り時間より長くてもよい。この場合、材料７１０は修正データを与えるために読み込まれる前に状態を変えられなければならないことがある。この実施例において、材料７１０は、データは、材料７１０の状態を変えることなく、例えば、材料７１０の遅延時間は、書込み時間未満である、媒体７００に書き込まれることができるように構成または選択されることができる。このように、データは材料７１０からの干渉なしに媒体７００に書き込まれることができる。
【０１１９】
代わりとして、材料７１０は、どのデータ部分がエラーを含むかおよびエラーを訂正する方法に関する情報を与えることができる。例えば、データについて読むことの前か間に、データ処理装置６１０および／または媒体読取装置６２０は、媒体７００のどの領域が感光性材料７１０（状態の検出された変化に基づいて）を含むかについて識別し、それらの領域にあるデータ部分を削除し、さもなければ、適当でないデータを処理する。各媒体７００上のユニークなパターンに配列された材料７１０の何千ものスポットを用いて、未許可のコピーを作る試みのデータについての手動または自動修正を非常にむずかしいか不可能にすることができる。
【０１２０】
もう一つの可能性は、媒体７００に関する暗号化されたデータを記憶して、データを解読するために媒体７００上の感光性材料７１０の特性に基づいて決められる解読キーを使用することである。例えば、媒体７００上の感光性の材料７１０のパターンが特定の方法での、例えば、特定のシーケンスで、特定のタイミングで、などで読取りするとき、暗号化キーを与えることがある。このキーは、データを例えば、プレーバックの間リアル・タイムで解読するため、または、媒体７００上のデータの使用を許可するために用いることができる。
【０１２１】
材料７１０は、また、不適当なアクセスをしているシーケンス（例えば連続したコピー・シーケンス）を使用している媒体７００上のデータの読み込みがコピーにおいて含まれている変更状態の材料７１０から読み込まれたデータを含む結果なるようにウォーターマーク入れ機能を与えることができる。
このデータ（それは許可されたコピーに含まれるデータと異なる）は、このコピーは、複製されたデータの中の未許可のものおよび／またはソースであることを識別するために用いることができる一種のウォーターマークを与えることができる。
【０１２２】
様々な技術が異なる本発明の態様を実現するために利用できる。たとえば、上述ように、下にあるデータの出力は、感光性材料の存在によって変更されることができる。
【０１２３】
感光性の材料７１０は、現在、光学記憶媒体の人気が高いためおよびそれらが従来の光媒体の変更を必要とすることなく記憶されたデータを保護する便利な方法を読取装置に与えることができるので、選択されて上の諸例における使用に関してある程度記載された。しかし、種々の本発明の態様は、その他の型の材料、例えば状態を変えるかさもなければ光以外の信号に応答する材料、または他の型の記憶媒体の使用拡張されることができることが理解されるべきである。例えば、電場または磁場に応答して状態を変える材料を感光性材料７１０の代わりに使うことができる。それらの材料を光学的に読み込まれる媒体においてまたはその他の信号を使用して読み込まれる媒体において使ってもよい。１例として、電場に応答して状態を変えて、それの状態に基づいて異なる方法で光を生じさせる材料（例えば電場に応答して状態を変えて通過する光の分極を変える液晶材料）を感光性材料７１０の代わりにまたはそれに加えて使うことができる。そのような場合には、媒体読取装置は、例えば、媒体７００上の所望の記憶位置に電場をつくる装置を備えるによって材料の異なる型に対応するように変更される必要があるかもしれない。したがって、本発明は感光性材料の使用または光学記憶媒体への適用だけに限られていない。
【０１２４】
さらに、上記の諸例において、感光性の材料７１０は、光にさらされ変更状態に変わった後の媒体７００の読み込みに影響を及ぼす。しかし、材料７１０は、第１の状態にある媒体７００の読み込みに影響を及ぼし、第２の状態の読み込みに影響を及ぼさないように機能することができる。例えば、材料７１０は、光学的読取り光によって照らされる前は吸光性であるであることがある。可能な遅延時間の後、材料７１０は、材料７１０は、材料７１０の下のデータの読取りを可能にするように透明になるために状態をかえることができる。いくらかの持続性時間の後に、材料７１０は第１の吸光状態に戻り、それによって材料の下のデータの読取りを防ぐ。更に、感光性材料７１０は、それの状態のうちの二つ以上において媒体上のデータの読取りに影響を及ぼすことがある。例えば、材料７１０が検出可能な限り、材料７１０は材料７１０の下で常にデータの読取りを防ぐことができる。第１の状態において、材料７１０は、読取装置に第１のデータ型例えば「０」を読み込ませることができ、第２の変更された状態において、読取装置に第２のデータ型例えば「１」を読み込ませることができる。
材料７１０は、ある時間またはある読み取り数の後、材料７１０はもはや検出可能でなくなり、それによって材料７１０の下のデータを読取り可能にするように一時的なものにすることができる。
【０１２５】
このように、本発明のいくつかの実施例を説明したので、種々の変更、変更態様および改良が当業者に容易に思いつくであろう。そのような変更、変更態様および改良は、本発明の範囲内にあると考えている。したがって、前述の説明は、例だけとしてであって、制限することを意図しない。
本発明は、それについて以下の請求項および均等物において限定されるようにだけ制限される。
【図面の簡単な説明】
本発明の実施例によって使われることができることもの１が光学式文字読み取り装置の１の型の概略図であると想像すること。
【図１】本発明の実施例で使われる光学読取装置の一つの型の概略図。
【図２】記録データを含んでいる光学的に読取り可能な媒体の拡大断面説明図。
【図３】記録データを含む光学的に読取り可能な媒体の断面説明図および媒体がサンプリングされるとき読み込まれる２進データの表示。
【図４】記録データを含む光学的に読取り可能な媒体の断面説明図および媒体がサンプリングされるとき検出される２進データの表示。
【図５】媒体が再読されるとき読取られる２進データの表示を含む図４の光媒体の断面説明図。
【図６】媒体が再読されるとき、検出される２進データの表示を含んでいる光媒体の断面説明図。
【図７】本発明によって使われることができるシステムの略ブロック図。
【図８】媒体に配置された感光性材料を有する光媒体。
【図９】４本のデータ・トラックと関連した感光性材料のスポットを有する光媒体の一部分。
【図１】
2004502266.tif 000003
【図２】
2004502266.tif 000004
【図３】
2004502266.tif 000005
【図４】
2004502266.tif 000006
【図５】
2004502266.tif 000007
【図６】
2004502266.tif 000008
【図７】
2004502266.tif 000009
【図８】
2004502266.tif 000010
【図９】
2004502266.tif 000011
【国際公開パンフレット】
2004502266.tif 000012
2004502266.tif 000013
2004502266.tif 000014
2004502266.tif 000015
2004502266.tif 000016
2004502266.tif 000017
2004502266.tif 000018
2004502266.tif 000019
2004502266.tif 000020
2004502266.tif 000021
2004502266.tif 000022
2004502266.tif 000023
2004502266.tif 000024
2004502266.tif 000025
2004502266.tif 000026
2004502266.tif 000027
2004502266.tif 000028
2004502266.tif 000029
2004502266.tif 000030
2004502266.tif 000031
2004502266.tif 000032
2004502266.tif 000033
2004502266.tif 000034
2004502266.tif 000035
2004502266.tif 000036
2004502266.tif 000037
2004502266.tif 000038
2004502266.tif 000039
2004502266.tif 000040
2004502266.tif 000041
2004502266.tif 000042
2004502266.tif 000043
2004502266.tif 000044
2004502266.tif 000045
2004502266.tif 000046
2004502266.tif 000047
2004502266.tif 000048
2004502266.tif 000049
2004502266.tif 000050
2004502266.tif 000051
2004502266.tif 000052
2004502266.tif 000053
2004502266.tif 000054
2004502266.tif 000055
2004502266.tif 000056
2004502266.tif 000057
2004502266.tif 000058
2004502266.tif 000059
2004502266.tif 000060
2004502266.tif 000061
2004502266.tif 000062
2004502266.tif 000063
2004502266.tif 000064
2004502266.tif 000065
2004502266.tif 000066
2004502266.tif 000067
2004502266.tif 000068
2004502266.tif 000069
2004502266.tif 000070
2004502266.tif 000071
2004502266.tif 000072
2004502266.tif 000073
2004502266.tif 000074
2004502266.tif 000075
2004502266.tif 000076
2004502266.tif 000077
2004502266.tif 000078
2004502266.tif 000079
2004502266.tif 000080
2004502266.tif 000081
2004502266.tif 000082
2004502266.tif 000083
2004502266.tif 000084
2004502266.tif 000085
2004502266.tif 000086
2004502266.tif 000087
2004502266.tif 000088
2004502266.tif 000089
【国際公開パンフレット（コレクトバージョン）】
2004502266.tif 000090
2004502266.tif 000091
【国際調査報告】
2004502266.tif 000092
2004502266.tif 000093
2004502266.tif 000094
2004502266.tif 000095
2004502266.tif 000096
2004502266.tif 000097